【事件の表示】
　特許第６７０１６１７号発明「インクジェットインク組成物及びインクジェット記録方法」の特許異議申立事件について、次のとおり決定する。
【結　論】
　特許第６７０１６１７号の特許請求の範囲を、訂正請求書に添付された訂正特許請求の範囲のとおり、訂正後の請求項〔１−８〕について訂正することを認める。
　特許第６７０１６１７号の請求項１−８に係る特許を維持する。
【理　由】
第１　手続の経緯 
　特許第６７０１６１７号の請求項１〜８に係る特許についての出願は、平成２７年２月２０日（優先権主張　平成２６年１０月２４日　日本国）に出願され、令和２年５月１１日にその特許権の設定登録がされ、同年同月２７日に特許掲載公報が発行された。その後、その請求項１〜８に係る特許に対し、同年１１月２６日に特許異議申立人渡辺陽子（以下、「特許異議申立人」という。）により特許異議の申立てがされ、当審は、令和３年２月１７日付けで取消理由を通知した。特許権者は、その指定期間内である同年４月２３日に意見書の提出及び訂正の請求を行った。特許権者から訂正請求（以下「本件訂正請求」といい、その内容を「本件訂正」という。）があったこと及び意見書が提出されたことを、同年４月２８日付けで特許異議申立人に通知し、特許異議申立人は、その指定期間内である同年６月１０日に意見書を提出した。
第２　本件訂正の適否についての判断
１　本件訂正の内容
　本件訂正は、以下の訂正事項１からなる。
　訂正事項１（当審が訂正箇所に下線を付した。）
　特許請求の範囲の請求項１において、「前記一般式（１）で表される化合物として、引火点が１４０℃以下の化合物の含有量がインクジェットインク組成物の全量に対して
６０
３０
前記引火点が１４０℃以下の化合物が、ジエチレングリコールメチルエチルエーテル、ジエチレングリコールジメチルエーテル、ジエチレングリコールジエチルエーテル、ジエチレングリコールブチルメチルエーテル及びトリエチレングリコールジメチルエーテルから選ばれる１種以上であ
２　一群の請求項について
　訂正前の請求項１〜８について、請求項２〜８はそれぞれ請求項１を引用しているものであるので、訂正事項１によって記載が訂正される請求項１に連動して訂正されるものである。したがって、訂正前の請求項１〜８に対応する 訂正後の請求項１〜８は、特許法第１２０条の５第４項に規定する一群の請求項である。
３　訂正の目的の適否、新規事項の有無、及び特許請求の範囲の拡張・変更の存否
（１）訂正事項１
ア　訂正の目的について
　訂正前の請求項１に係る特許発明は、一般式（１）で表される引火点が１４０℃以下の化合物の具体的な成分については特定していない。
　これに対して、訂正後の請求項１は、「前記引火点が１４０℃以下の化合物が、ジエチレングリコールメチルエチルエーテル、ジエチレングリコールジメチルエーテル、ジエチレングリコールジエチルエーテル、ジエチレングリコールブチルメチルエーテル及びトリエチレングリコールジメチルエーテルから選ばれる１種以上であ」るとの記載により、訂正後の請求項１に係る発明におけるインクジェットインク組成物の組成をより具体的に特定し、更に限定するものである。
　また、訂正後の請求項１は、「前記一般式（１）で表される化合物として、引火点が１４０℃以下の化合物の含有量がインクジェットインク組成物の全量に対して６０質量％以上８０質量％以下であ」るとの記載により、訂正後の請求項１に係る発明におけるインクジェットインク組成物の組成をより具体的に特定し、更に限定するものである。
　さらに、訂正後の請求項１は、「前記環状エステルの含有量がインクジェットインク組成物の全量に対して１０質量％以上３０質量％以下であ」るとの記載により、訂正後の請求項１に係る発明におけるインクジェットインク組成物の組成をより具体的に特定し、更に限定するものである。
　したがって、訂正事項１は、特許法第１２０条の５第２項ただし書第１号に規定する特許請求の範囲の減縮を目的とするものであるといえる。
　同様に、訂正後の請求項２〜８は、訂正後の請求項１の上記の記載を引用することにより、訂正後の請求項２〜８に係る発明におけるインクジェットインク組成物の組成や成分をより具体的に特定し、更に限定するものであるため、特許法第１２０条の５第２項ただし書第１号に規定する特許請求の範囲の減縮を目的とするものであるといえる。
イ　願書に添付した明細書、特許請求の範囲又は図面に記載した事項の範囲内の訂正であること
（ア）訂正事項１が、明細書の発明の詳細な説明の記載に基づいて導き出される構成であるか否かを検討する。
（イ）本件特許明細書の発明の詳細な説明には、一般式（１）で表される引火点が１４０℃以下の化合物として、「ジエチレングリコールメチルエチルエーテル、ジエチレングリコールジメチルエーテル、ジエチレングリコールジエチルエーテル、ジエチレングリコールブチルメチルエーテル及びトリエチレングリコールジメチルエーテルから選ばれる１種以上」を使用した実施例が記載されている（００９２段落表２、００９３段落表３）。
（ウ）本件特許明細書の００３２段落には、一般式（１）で表される化合物のうち、引火点が１４０℃以下の化合物のインクジェットインク組成物の全量に対する含有量を上限値の「８０質量％以下」とする点が記載されており、下限値の「６０質量％」は実施例２１（ジエチレングリコールメチルエチルエーテルの含有量）の数値として記載されている（００９３段落表３）。
（エ）本件特許明細書の００３７段落には、環状エステルのインクジェットインク組成物の全量に対する含有量が記載されており、上限値の「３０質量％」についても当該段落に記載されている。
（オ）特許異議申立人は、令和３年６月１０日提出の意見書において、前記（ウ）について、下限値の「６０質量％」が本件明細書に記載がなく、また、実施例２１（ジエチレングリコールメチルエチルエーテルの含有量）は、本件発明１に用いられる引火点が１４０℃以下の化合物の一例しか示していないことから、訂正事項１が新規事項を追加するものであると主張するが、ジエチレングリコールメチルエチルエーテルが１４０℃以下の化合物であることから、実施例２１には、含有量がインク組成物の全量に対して「６０質量％」であることが読み取れることになる。そうすると、その含有量を訂正前の「２０質量％以上８０質量％以下」から「６０質量％以上８０質量％以下」と訂正することが、新規事項の追加になるということはできない。
（カ）したがって、訂正事項１は、願書に添付した明細書、特許請求の範囲又は図面に記載した事項内の訂正であり、特許法第１２０条の５第９項で準用する特許法第１２６条第５項に適合するものであるといえる。
ウ　実質上特許請求の範囲を拡張し、又は変更する訂正ではないこと
　上記アの理由から明らかなように、訂正事項１は、訂正後の請求項１に係る発明におけるインクジェットインク組成物の組成や成分をより具体的に特定し、更に限定するものであり、カテゴリーや対象、目的を変更するものではないから、実質上特許請求の範囲を拡張し、又は変更するものには該当せず、特許法第１２０条の５第９項で準用する特許法第１２６条第６項に適合するものであるといえる。
　訂正事項１は、訂正前の請求項１の記載を引用する訂正前の請求項２〜８の記載についても実質的に訂正するものであるが、上記アの理由から明らかなように、訂正後の請求項１の記載は、訂正前の請求項１との関係で特許請求の範囲を実質的に拡張し、又は変更するものではない。
　また、訂正事項１は、訂正前の請求項１の記載以外に、訂正前の請求項２〜８の記載について何ら訂正するものではなく、訂正後の請求項２〜８に記載された発明のカテゴリーや対象、目的を変更するものではない。
　したがって、訂正事項１は、実質上特許請求の範囲を拡張し、又は変更するものではないため、特許法第１２０条の５第９項で準用する特許法第１２６条第６項に適合するものであるといえる。
（２）小括 
　以上のとおりであるから、本件訂正は特許法第１２０条の５第２項ただし書第１号に掲げる事項を目的とするものであり、かつ、同条第９項で準用する同法第１２６条第５項及び第６項の規定に適合する。
　したがって、特許第６７０１６１７号の特許請求の範囲を訂正請求書に添付された訂正特許請求の範囲のとおり、訂正後の請求項〔１−８〕について訂正することを認める。
第３　本件特許発明
　上記第２で述べたとおり、本件訂正は認められるので、本件特許の請求項１〜８に係る発明は、令和３年４月２３日付けの訂正請求書に添付された訂正特許請求の範囲の請求項１〜８に記載された事項により特定される次のとおりのもの（以下「本件特許発明１」〜「本件特許発明８」、まとめて「本件特許発明」ともいう。）である。
　
「【請求項１】
　下記一般式（１）で表される化合物を少なくとも１種と、
　環状エステルと、
　体積平均粒子径が１００ｎｍ以上４００ｎｍ以下であるピグメントオレンジ−４３（ＰＯ−４３）を含む顔料と、
を含み、
　前記一般式（１）で表される化合物として、引火点が１４０℃以下の化合物の含有量がインクジェットインク組成物の全量に対して６０質量％以上８０質量％以下であり、
　前記引火点が１４０℃以下の化合物が、ジエチレングリコールメチルエチルエーテル、ジエチレングリコールジメチルエーテル、ジエチレングリコールジエチルエーテル、ジエチレングリコールブチルメチルエーテル及びトリエチレングリコールジメチルエーテルから選ばれる１種以上であり、
　前記環状エステルがγ−ブチロラクトンであり、
　前記環状エステルの含有量がインクジェットインク組成物の全量に対して１０質量％以上３０質量％以下であり、
　水の含有量が５質量％以下である、インクジェットインク組成物。
Ｒ１Ｏ−（Ｒ２Ｏ）ｍ−Ｒ３    ・・・（１）
［一般式（１）中、Ｒ１及びＲ３は、それぞれ独立して、水素又は炭素数１以上４以下のアルキル基を表し、Ｒ２は、炭素数２又は３のアルキレン基を表し、ｍは、２又は３の整数を表す。］
【請求項２】
　請求項１において、
　前記インクジェットインク組成物の全量に対して、１質量％以上６質量％以下の前記顔料を含む、インクジェットインク組成物。
【請求項３】
　請求項１又は請求項２において、
　前記一般式（１）で表される化合物の合計の含有量が、前記インクジェットインク組成物の全量に対して、１０質量％以上９０質量％以下である、インクジェットインク組成物。
【請求項４】
　請求項１ないし請求項３のいずれか一項において、
　前記一般式（１）で表される化合物として、引火点が１４０℃超の化合物を含有し、前記引火点が１４０℃超の化合物の含有量が、前記インクジェットインク組成物の全量に対して、６０質量％以下である、インクジェットインク組成物。
【請求項５】
　請求項１ないし請求項４のいずれか一項において、
　前記環状エステルの含有量が、前記インクジェットインク組成物の全量に対して、１０質量％以上３０質量％以下である、インクジェットインク組成物。
【請求項６】
　請求項１ないし請求項５のいずれか一項において、
　さらに、塩化ビニル系樹脂を含む、インクジェットインク組成物。
【請求項７】
　塩化ビニル系記録媒体への記録に用いられる、請求項１ないし請求項６のいずれか一項に記載のインクジェットインク組成物。
【請求項８】
　請求項１ないし請求項７のいずれか一項に記載のインクジェットインク組成物を用いて、塩化ビニル系記録媒体に対してインクジェット法により記録する、インクジェット記録方法。」
第４　取消理由通知に記載した取消理由について
　本件訂正前の請求項１〜８に係る特許に対して、当審が令和３年２月１７日付けで特許権者に通知した取消理由の要旨は、次のとおりである。
理由１（進歩性）本件特許の請求項１〜８に係る発明は、本件特許優先日前に日本国内又は外国において、頒布された甲第１号証、甲第３号証から甲第５号証、甲第１３号証に記載された発明又は電気通信回線を通じて公衆に利用可能となった発明に基いて、本件特許優先日前にその発明の属する技術の分野における通常の知識を有する者が容易に発明をすることができたものであるから、請求項１〜８に係る特許は、特許法第２９条第２項の規定に違反してされたものであり、同法第１１３条第２号の規定により取り消されるべきものである。
甲第１号証：特開２０１２−１６２００２号公報
甲第３号証：特開２００９−２２７８１２号公報
甲第４号証：特許２０１４−２３７８０３号公報
甲第５号証：橋本勲、Organic　Pigments　Handbook　有機顔料ハンドブック、２００６年５月発行、ｐ．４４、４５、２４８、４９９−５００
甲第１３号証：特許２０１１−１２６９５４号公報
理由２（サポート要件）本件特許の請求項１〜８に係る発明は、特許請求の範囲の記載が後記第６の点で不備のため、特許法第３６条第６項第１号に適合するものではないから、請求項１〜８に係る特許は、特許法第３６条第６項の規定に違反してされたものであり、同法第１１３条第４号の規定により取り消されるべきものである。
第５　前記第４における理由１（進歩性）についての判断
１　甲号証の記載について　
（１）甲第１号証（以下、「甲１」という。）
１ａ「【請求項１】
　特定インクを吐出して印刷領域に位置する被印刷媒体に画像を形成する工程と、被印刷媒体を搬送する搬送工程と、を交互に行うことにより印刷を行うインクジェット記録方法であって、
　前記画像を形成する工程は、
　前記印刷領域に静止させた被印刷媒体に対してプリントヘッドを相対的に移動させながら、前記プリントヘッドから前記インクを前記被印刷媒体に吐出する走査を複数回行い、かつ、
　前記被印刷媒体に吐出された前記特定インクにエネルギーを与えて前記被印刷媒体に定着させるものであり、
　前記被印刷媒体が、インク非吸収性又は低吸収性の被印刷媒体であり、
　前記特定インクは、沸点が１２０℃以上２４０℃以下の、グリコールエーテル系溶剤及び非プロトン性極性溶剤からなる群から選ばれる１種以上の有機溶剤をインクの組成中に６０質量％以上含有する、インクジェット記録方法。
・・・
【請求項６】
　請求項１〜５のいずれか１項に記載のインクジェット記録方法に用いられる、インク。」
１ｂ「【００９１】
　有機溶剤の含有率は、特定インクの総量（１００質量％）に対し６０質量％以上であり、好ましくは７０質量％以上である。上記範囲内であると、被印刷媒体に対して優れたレベリング性を示し、被印刷媒体の種類によらず凝集ムラのない高画質印字を可能とする。また、フィルム系メディアへの高い定着性の付加が可能となる。
・・・
【０１０３】
　また、マゼンタ、シアン、及びイエロー以外の顔料としては、例えば、Ｃ．Ｉ．Ｐｉｇｍｅｎｔ　Ｇｒｅｅｎ　７，１０、及びＣ．Ｉ．Ｐｉｇｍｅｎｔ　Ｂｒａｗｎ　３，５，２５，２６、及びＣ．Ｉ．Ｐｉｇｍｅｎｔ　Ｏｒａｎｇｅ　１，２，５，７，１３，１４，１５，１６，２４，３４，３６，３８，４０，４３，６３等が挙げられる。
【０１０４】
　本インクに顔料を用いる場合は、その平均粒径が１０〜２００ｎｍの範囲にあるものが好ましく、より好ましくは５０〜１５０ｎｍ程度のものである。
本インクに色材を用いる場合、色材の添加量は、０．１〜２５質量％程度の範囲が好ましく、より好ましくは０．５〜１５質量％程度の範囲である。
本インクに顔料を用いる場合は、分散剤または界面活性剤で媒体中に分散させて得られた顔料分散液を用いることができる。好ましい分散剤としては、顔料分散液を調製するのに慣用されている分散剤、たとえば高分子分散剤を使用することができる。
本インクが色材を含有する場合、色材を複数含有するものであっても良い。たとえば、イエロー、マゼンタ、シアン、ブラックの基本４色に加えて、グリーン、オレンジ、ブルー、ホワイトなどの特色や、それぞれの色毎に同系列の濃色や淡色を加えることができる。すなわち、マゼンタに加えて淡色のライトマゼンタ、シアンに加えて淡色のライトシアン、濃色のレッド、濃色のブルー、ブラックに加えて淡色であるグレイ、ライトブラック、濃色であるマットブラックを含有させることが例示できる。」
１ｃ「【０１２３】
［材料］
　実施例及び比較例において使用した材料は、下記に示すとおりである。
〔顔料〕
・Ｃ．Ｉ　Ｐｉｇｍｅｎｔ　Ｖｉｏｌｅｔ　１９（表中「ＰＶ１９」と省略）
・Ｃ．Ｉ　Ｐｉｇｍｅｎｔ　Ｙｅｌｌｏｗ　２１３（表中「ＰＹ２１３」と省略）
・Ｃ．Ｉ　Ｐｉｇｍｅｎｔ　Ｂｌｕｅ　１５：３（表中「ＰＢ１５：３」と省略）
・カーボンブラック（ＣＢ）　ＭＡ７７（商品名、三菱化学社製）（表中「ＣＢ ＭＡ７７」と省略）
〔分散剤〕
・ポリエステル系高分子　Ｓｏｌｓｐｅｒｓｅ３２０００（商品名、アビシア（Avecia）社製）（表中「Ｓｏｌ３２０００」と省略）
〔定着樹脂〕
・塩化ビニル−酢酸ビニル共重合体　ＵＣＡＲ　Ｓｏｌｕｔｉｏｎ　Ｖｉｎｙｌ　ＶＲＯＨ　（商品名、日本ユニオンカーバイド社（Union　Carbide　Corporation）製、分子量１５０００，Ｔｇ＝６５℃）（表中「Ｐ（ＶＣ−ＶＡｃ）」と省略）
・ポリアクリルポリオール樹脂エマルジョン　Ｎ−２０４３−６０ＭＥＸ（商品名、ハリマ化成社（Harima Chemicals, Inc.）製）（表中「ＡＰ−ｅ」と省略）
〔界面活性剤〕
・ＢＹＫ−ＵＶ３５００（ポリエーテル変性ポリジメチルシロキサン、ビックケミー・ジャパン社製）（表中「ＢＹＫ３５００」と省略）
【０１２４】
〔各種溶剤〕
（１．グリコールエーテル系溶剤）
・プロピレングリコールジメチルエーテル（表中「ＰＧＤＭＥ」と省略）
・プロピレングリコールモノメチルエーテル（表中「ＰＧＭＥ」と省略）
・プロピレングリコールメチルエーテルアセテート（表中「ＰＧＭＥＡ」と省略）
・ジプロピレングリコールジメチルエーテル（表中「ＤＰＧＤＭＥ」と省略）
・ジエチレングリコールジエチルエーテル（表中「ＤＥＧＤＥＥ」と省略）
・トリエチレングリコールジメチルエーテル（表中「ＧＬ−３」と省略）
・エチレングリコールモノブチルエーテルアセテート（表中「ＥＧＢＥＡ」と省略）
・ジプロピレングリコールプロピルエーテル（表中「ＤＰＧＰＥ」と省略）
・テトラエチレングリコールジメチルエーテル（Ｔｅｔｒａｇｌｙｍｅ、表中「ＧＬ−４」と省略）
・ポリエチレングリコールモノメチルエーテル（表中「ＰＥＧＭＥ」と省略）
（２．非プロトン極性溶剤）
・Ｎ−エチル−２−ピロリドン（表中「ＮＥＰ」と省略）
・ジメチルスルホキシド（表中「ＤＭＳＯ」と省略）
・Ｎ−メチル−２−ピロリドン（表中「ＮＭＰ」と省略）
・γ−ブチロラクトン（表中「ＧＢＬ」と省略）
・１，３−ジメチル−２−イミダゾリジノン（表中「ＤＭＩ」と省略）
・２−ピロリドン（表中「ピロリドン」と省略）
・γ−ウンデカラクトン（表中「ＧＵＬ」と省略）
（３．その他の有機溶剤）
・メチルエチルケトン（表中「ＭＥＫ」と省略）
・２−プロパノール（表中「プロパノール」と省略）
・シクロヘキサノン
・１，２−ヘキサンジオール（表中「ヘキサンジオール」と省略）
・ジプロピレングリコール（表中「ＤＰＧ」と省略）
・トリエチレングリコール（表中「ＴＥＧ」と省略）
【０１２５】
［実施例１〜６、比較例１〜５、参考例１〜２］
〔特定インクの調製〕
　まず、下記表１及び表２に示す組成で材料を混合して、インクＡ〜Ｋを調製した。
　なお、表１及び表２中、空欄部は無添加を意味し、数値の単位は質量％である。
【０１２６】
【表１】
【０１２７】
【表２】
【０１２８】
〔印刷〕
　次に、下記の印刷装置を用いて、上記表１及び表２のインクＡ〜Ｋを下記の被印刷媒体にそれぞれ印刷した。
（被印刷媒体）
・塩ビフィルム（ローランド社（Roland DG Corporation）製、商品名「ＬＬＥＸ」）
・ＰＰフィルム（エイブリィ・デニソン社（Avery Dennison Corporation）製、商品名「ＢＡ２０７６」）
・ＰＥＴフィルム（リンテック社（Lintec Corporation）製、商品名「Ｋ２４１１」）
・ＰＥフィルム（エイブリィ・デニソン社製、商品名「ＢＡ１２０１」）
・印刷本紙（王子製紙社（Oji Paper Company, Limited）製、商品名「ＯＫトップコート＋」）」
（２）甲第３号証（以下、「甲３」という。）
３ａ「【請求項１】
少なくとも第１の油性インク、第２の油性インクおよび第３の油性インクがそれぞれ色材を含有すると共に組み合わされる油性インクセットであり、かつ、該第１の油性インク、第２の油性インクおよび第３の油性インクがいずれも波長領域４００〜７００ｎｍの範囲において記録媒体上での反射率が８０％から５％に変わる波長領域を有する油性インクセットであって、上記第１の油性インクにおける反射率８０％から５％に変わる波長領域において、上記第２の油性インクにおける反射率が第１の油性インクの反射率よりも連続して高く、且つ、第２の油性インクにおける反射率８０％から５％に変わる波長領域において、第３の油性インクにおける反射率が前記第２の油性インクの反射率よりも連続して高く、さらに、前記第１の油性インク、第２の油性インクおよび第３の油性インクにおける色材がすべて異なることを特徴とする油性インクセット。
・・・
【請求項５】
前記第２の油性インクがオレンジインクまたはレッドインクであることを特徴とする請求項１、または請求項２に記載の油性インクセット。」
３ｂ「【００４１】
　本発明の第１の油性インクセットとしては、波長領域４００〜７００ｎｍにおける反射率の関係を満たすものであればよく、格別、限定されるものではないが、インク種としては第１の油性インクはマゼンタインク、第３の油性インクとしてイエローインク、第２の油性インクとしてオレンジインクが例示される。マゼンタインクにおける顔料としてはピグメントレッド１２２が例示される。イエローインクとしては、ピグメントイエロー１５０、１８０、また、第２の油性インクであるオレンジインクとしては、ピグメントオレンジ６４、７１、ピグメントレッド２５４等が例示される。」
３ｃ「【００６４】
　また、（メタ）アクリル系樹脂と共に、必要に応じて他の樹脂を含有させてもよい。他の樹脂としては、例えばスチレンアクリル系樹脂、ロジン変成樹脂、フェノール樹脂、テルペン系樹脂、ポリエステル樹脂、ポリアミド樹脂、エポキシ樹脂、塩化ビニル酢酸ビニル共重合体樹脂、セルロースアセテートブチレート等の繊維素系樹脂、ビニルトルエン−α−メチルスチレン共重合体樹脂等が挙げられる。塩化ビニル酢酸ビニル共重合体樹脂としては、ダウケミカル社の「ＵＣＡＲTH　ＶＡＧＣ　Ｓｏｌｕｔｉｏｎ　Ｖｉｎｙｌ　Ｒｅｓｉｎ（略称　ＶＡＧＣ）」（ヒドロキシアルキルアクリレート変性塩化ビニル／酢酸ビニル共重合体、Ｔｇ６５℃、重量平均分子量２４，０００）等が例示される。」
３ｄ「【００７５】
　なお、分析には、樹脂溶液から樹脂のみをヘキサンにて精製したサンプルを使用した。重量平均分子量は、東ソー（株）製の「ＨＬＣ−８２２０ＧＰＣ」にて、ポリスチレンを標準としたゲル浸透クロマトグラフ（ＧＰＣ）により測定を行った。また、ガラス転移温度（Ｔｇ）は、島津製作所（株）製の示差走査熱量計「ＤＳＣ−５０」にて測定した。平均粒径（Ｄ５０）は、日機装（株）製の粒度分析計マイクロトラックＵＰＡ１５０を使用して測定した。
【００７６】
　（重合体１の合成）
　１００℃に保たれたジエチレングリコールジエチルエーテル３００ｇ中に、メタクリル酸メチル２００ｇとｔ−ブチルパーオキシ−２−エチルヘキサノエート３．６ｇを１．５時間かけて滴下した。滴下終了後、１００℃で２時間反応させた後に冷却し、無色透明のポリメタクリル酸メチルの重合体１溶液を得た。Ｔｇは１０５℃であった。重合体１の重量平均分子量は３０，０００であった。熱分解ガスクロマトグラフ質量分析計を使用して分析したところ、ジエチレングリコールジエチルエーテルとメタクリル酸メチルが結合した分子が検出された。
・・・
【００７８】
　（インク１の調製）
　溶媒として下記の組成とした。
・　ジエチレングリコールジエチルエーテル　　　　　　・・・　６０．０質量部
・　テトラエチレングリコールジメチルエーテル　　　　　　・・・　１５．０質量部
・　γ−ブチロラクトン　　　　　　　　　　　　　　　・・・　１５．０質量部。
・・・
【００８４】
　（インク３の調製）
　溶媒として下記の組成とした。
・　ジエチレングリコールジエチルエーテル　　　　　　・・・　５１．０質量部
・　テトラエチレングリコールジメチルエーテル　　　　　　・・・　２５．０質量部
・　γ−ブチロラクトン　　　　　　　　　　　　　　　・・・　１５．０質量部。
【００８５】
　次に、上記組成の溶媒の一部にピグメントオレンジ６４（チバスペシャリティーケミカルズ社製、ＣＲＯＭＯＰＨＴＡＬ(R) ＯＲＡＮＧＥ　ＧＰ）を３．０質量部と分散剤として味の素ファインテクノ社製「アジスパーＰＢ８２１」を１．０質量部とを添加し、ディゾルバーで３，０００ｒｐｍにて１時間攪拌した後、ジルコニアビーズ（２ｍｍ）を充填したビーズミルで予備分散した。得られる顔料粒子の平均粒径は５μｍ以下であった。更に、ジルコニアビーズ（０．３ｍｍ）を充填したナノミルで本分散を行い、顔料分散液を得た。この本分散で得られる顔料粒子の平均粒径は２５０ｎｍであった。
【００８６】
　得られた顔料分散液を１，５００ｒｐｍで攪拌しながら、バインダー樹脂として上記で合成した重合体１を５．０質量部と、上記で得た混合溶媒の残部とを添加して、油性インク３（２０℃での粘度４．３ｍＰａ・ｓ）を調製した。」
３ｅ「【０１３３】
【表１】
【０１３４】
　セイコーエプソン社製「４色インクジェットプリンター　ＭＪ８０００Ｃ」に上記で得た各油性インクを充填し、軟質ポリ塩化ビニルシート（リンテック社製、ＬＡＧマウントＰ−２２３ＲＷ）上に印字し、印字された各インクにおける反射率スペクトル、Ｌ* 値、ａ* 値、ｂ* 値、色相角Ｈ°を、グレタグ社製「ＧＲＥＴＡＧ　Ｓｐｅｄｔｒｏｌｉｎｏ」（Ｄ６５光源、視野角２°）で測定した。」
（３）甲第４号証（以下、「甲４」という。）
４ａ「【請求項１】
　色材と、環状エステルと、引火点が７０℃以下であって下記一般式（Ｉ）で表される第１有機溶剤と、引火点が９０℃以上の第２有機溶剤と、を含有し、
　前記環状エステルの含有量ａ（質量％）が、６質量％以上３０質量％以下であり、
　前記環状エステルの含有量ａ（質量％）と、前記第１有機溶剤の含有量ｂ（質量％）と、前記第２有機溶剤の含有量ｃ（質量％）とが、下記式（１）および（２）の関係を満たす、インクジェット記録用インク組成物。
　Ｒ1−Ｏ−（Ｒ2−Ｏ）2−Ｒ3　・・・（Ｉ）
（上記一般式（Ｉ）において、Ｒ1は炭素数１以上４以下のアルキル基を表し、Ｒ2はエチレン基またはプロピレン基を表し、Ｒ3は水素原子または炭素数１以上４以下のアルキル基を表す。）
　ａ＜ｂ　　　・・・（１）
　ｃ＜（ａ＋ｂ）／２　・・・（２）
・・・
【請求項３】
　請求項１または請求項２において、
　前記第１有機溶剤の含有量ｂが、２０質量％以上８５質量％以下である、インクジェット記録用インク組成物。
」
４ｂ「【００３１】
　本実施形態のインク組成物を、オレンジまたはイエローのインクとする場合には、配合される色材、特に顔料として、例えば、Ｃ．Ｉ．ピグメントオレンジ３１、Ｃ．Ｉ．ピグメントオレンジ４３、Ｃ．Ｉ．ピグメントオレンジ６４、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１７、Ｃ．Ｉ．ピグメントイエロー７４、Ｃ．Ｉ．ピグメントイエロー９３、Ｃ．Ｉ．ピグメントイエロー９４、Ｃ．Ｉ．ピグメントイエロー１２８、Ｃ．Ｉ．ピグメントイエロー１３８、Ｃ．Ｉ．ピグメントイエロー１５０、Ｃ．Ｉ．ピグメントイエロー１５４、Ｃ．Ｉ．ピグメントイエロー１５５およびＣ．Ｉ．ピグメントイエロー１８０等を例示することができ、これらは単独または組み合わせて用いることができる。」
４ｃ「【００７４】
　＜定着用樹脂＞
　本実施形態のインク組成物は、定着用樹脂を含有してもよい。インク組成物に含有させうる定着用樹脂としては、例えば、脂肪族ポリエステル、芳香族ポリエステル、ポリウレタン、ポリ塩化ビニル、エポキシ樹脂、ポリ酢酸ビニル、塩化ビニル−酢酸ビニル共重合樹脂、エチレン−酢酸ビニル共重合樹脂、ポリカーボネート、ポリビニルブチラール、ポリビニルアルコール、フェノキシ樹脂、エチルセルロース樹脂、セルロースアセテートプロピオネート樹脂、セルロースアセテートブチレート、ニトロセルロース樹脂、ポリスチレン、ポリ（メタ）アクリル酸、ポリ（メタ）アクリル酸メチル、ポリ（メタ）アクリル酸エチル、（メタ）アクリル酸−（メタ）アクリル酸エステル共重合樹脂、スチレン−（メタ）アクリル共重合樹脂、ビニルトルエン−α−メチルスチレン共重合体樹脂、ポリアミド、ポリイミド、ポリスルホン系樹脂、石油樹脂、エチレン−（メタ）アクリル酸共重合樹脂、エチレン−（メタ）アクリル酸エステル共重合樹脂、塩素化ポリプロピレン、ポリオレフィン、エチレンアルキル（メタ）アクリレート樹脂、テルペン系樹脂、ロジン変性フェノール樹脂、ＮＢＲ・ＳＢＲ・ＭＢＲ等の各種合成ゴム、およびそれらの変性体等が挙げられる。これらの樹脂は、１種単独で用いてもよく、２種以上混合して用いてもよい。これらの定着用樹脂は、例えば、インク組成物の記録媒体上における定着性を付与するために配合することができる。」
４ｄ「【０１０６】
　３．実施例
　以下に実施例および比較例を示し、本発明をさらに説明するが、本発明は以下の例によってなんら限定されるものではない。
【０１０７】
　３．１．インク組成物の調製
　各実施例および各比較例のインク組成物を、表１に示す配合で調製した。
【０１０８】
　表１に記載された成分において、顔料は、ピグメントブルー１５：３（銅フタロシアニン顔料：クラリアント社製）を用いた。
【０１０９】
　表１に記載の化合物のうち、環状エステルとしては、γ−ブチロラクトン（関東化学株式会社製）を用いた。
【０１１０】
　表１に記載の化合物のうち、第１有機溶剤としては、ＤＥＧＭＥＥ（ジエチレングリコールメチルエチルエーテル、商品名「ハイソルブＥＤＭ」、東邦化学工業株式会社製）、ＤＥＧｄＭＥ（ジエチレングリコールジメチルエーテル、商品名「ジエチレングリコールジメチルエーテル」、東京化成工業株式会社製）を用いた。
【０１１１】
　表１に記載の化合物のうち、第２有機溶剤としては、ＤＥＧＢＭＥ（ジエチレングリコールブチルメチルエーテル、商品名「ハイソルブＢＤＭ」、東邦化学工業株式会社製）、ＴｅｔｒａＥＧｍＢＥ（テトラエチレングリコールモノブチルエーテル、商品名「ブチセノール４０」、ＫＨネオケム株式会社製）を用いた。
【０１１２】
　表１に記載の化合物のうち、その他の溶剤としては、ＤＥＧＤＥＥ（ジエチレングリコールジエチルエーテル、商品名「ジエチレングリコールジエチルエーテル」、東京化成工業株式会社製、引火点７１℃）を用いた。
【０１１３】
　表１中、ソルスパース３７５００（商品名、ＬＵＢＲＩＺＯＬ社製）は、分散剤である。パラペットＧ−１０００Ｐ（株式会社クラレ製）は、アクリル樹脂（定着樹脂）である。表１中、ＢＹＫ３４０（ビックケミー・ジャパン株式会社製）は、フッ素系界面活性剤（滑剤）である。
【０１１４】
　表１に記載した配合で、各溶剤を各例のインク組成物毎に攪拌して混合溶剤を得た。次に、混合溶剤の一部を取り分け、ソルスパース３７５００を混合し、その後ピグメントブルー１５：３を加えて、ホモジナイザーを用いて予備分散した後に、ビーズミルにて分散をし、顔料の平均粒径１３０ｎｍの分散体を得た。別途、混合溶剤の一部を取り分け、パラペットＧ−１０００Ｐを加えて撹拌し、完全に溶解させて樹脂溶液を得た。そして上記分散体に、残っていた混合溶剤と、ＢＹＫ３４０と、上記樹脂溶液とを混ぜいれ各実施例および各比較例のインク組成物とした。
【０１１５】
　３．２．評価試験
　評価試験は、空調設備と加湿器を利用して、環境試験室の温度および湿度がそれぞれ、３０℃，５５％ＲＨとなるように調整し、当該環境試験室内に設置したセイコーエプソン株式会社製プリンター「ＳＣ−Ｓ３０６５０」を用いて行った。なお、温度および湿度は、ヒーター等のインクジェットプリンター自身の発熱の影響を受けない筐体の上に設置した温湿度センサーによって測定した。
【０１１６】
　また、各評価試験では、プラテン及びプラテンより下流の記録媒体排出部にて、記録中及び記録後１分間、記録媒体を４５℃で加熱した。
【０１１７】
　３．２．１．印刷ムラ
　上記プリンターを用いて、実施例および比較例の各インク組成物を塩ビバナーシート（３Ｍ社製、型番ＩＪ５１（ポリ塩化ビニル））上に１００％濃度で記録解像度７２０×７２０ｄｐｉのベタ印刷をした後、６０分間、２５℃６５％ＲＨ（相対湿度）にて乾燥させた。その後、目視および光学顕微鏡を用いて印刷面を観察し、印刷ムラの少ないものを６点として、１点まで６水準で評価し、その結果を表１に記載した。
【０１１８】
　３．２．２．光沢
　上記プリンターを用いて、実施例および比較例の各インク組成物を光沢ポリ塩化ビニルシート（ローランドＤＧ社、型番ＳＶ−Ｇ−１２７０Ｇ）上に記録解像度７２０×７２０ｄｐｉの１００％濃度でベタ印刷をした後、２５℃６５％ＲＨ（相対湿度）にて１日間、乾燥させて各例の記録物を作成した。各例のベタ印刷部の２０°光沢をＭＵＬＴＩ　ＧＬＯＳＳ　２６８（コニカミノルタ株式会社製）にて測定し、光沢度が２６未満を１点、２６以上、２８未満を２点とし、光沢度を２毎に刻んで光沢を点数で評価し、その結果を表１に記載した。光沢が優れる場合、特にフィルムなどの光沢性を有する記録媒体において、記録物に記録媒体自身と同様の光沢感を得ることができる利点がある。
【０１１９】
　３．２．３．ドットサイズ
　上記プリンターを用いて実施例および比較例の各インク組成物を、塩ビバナーシート（３Ｍ社製、型番ＩＪ５１（ポリ塩化ビニル））上に記録解像度７２０×７２０ｄｐｉの３０％濃度で１辺３ｃｍの正方形を印刷した後、２５℃６５％ＲＨ（相対湿度）にて６０分間乾燥させた。その後、光学顕微鏡を用いて印刷部分のドットサイズを観察してドットの直径を１０μｍ毎に分類した。なお、にじみが大きい場合には、ドット形状が円状になっておらず、測定できなかった。また、にじみが小さくなることで真円に近くなっていたが、ドットサイズ（直径）は小さくなっていた。ドットサイズが２０μｍ以下のものを１点として、２０μｍを超え３０μｍ以下のものを２点、というように１０μｍ毎にランク分けして、各例の点数を算出し、その結果を表１に記載した。ドットサイズが良好であるということは、インクの記録媒体上での濡れ拡がり性が良いということであり、記録媒体をインクで覆うことができることにより記録物の発色性が良くなるなどの利点がある。
【０１２０】
　３．２．４．耐擦性
　上記プリンターを用いて、実施例および比較例の各インク組成物を、光沢ポリ塩化ビニルシート（ローランドＤＧ社、型番ＳＶ−Ｇ−１２７０Ｇ）上に記録解像度７２０×７２０ｄｐｉの１００％濃度で印刷した後、２５℃６５％ＲＨ（相対湿度）にて１日間、乾燥させて各例の記録物を作成した。次に、ＪＩＳ　Ｌ　０８４９に基づいて、Ｉ型試験機にて乾式試験を行った。その後、試験綿布のＯＤをスペクトロリーノ（グレタグマクベス社製）にて測定し、０．４以上を１点、０．４より小さく０．３５以上のものを２点と、０．０５毎に色移りに関して点数を付け、その結果を表１に記載した。
【０１２１】
　３．２．５．表面乾燥性
　セイコーエプソン株式会社製プリンター「ＳＣ−Ｓ３０６５０」を用いて、実施例および比較例の各インク組成物を、光沢ポリ塩化ビニルシート（ローランドＤＧ社、型番ＳＶ−Ｇ−１２７０Ｇ）上に記録解像度７２０×７２０ｄｐｉの１００％濃度で印刷し、２５℃６５％ＲＨ（相対湿度）にて５分間乾燥させた。次に、巻き取り装置を用いて巻き取った後の印刷面のスリ痕を観察した。観察はレーザー顕微鏡（キーエンス株式会社製、形式ＶＫ−８７００　Ｇｅｎｅｒａｔｉｏｎ２）にて表面粗さを測定することで、スリ痕のある面積の割合を算出した。スリ痕面積が印刷領域の１０％以下のものを５点として、２０％以下１０％より多いものを４点、というように１０％毎にランク分けした。６点はスリ痕面積がないものとした。その結果を表１に記載した。
【０１２２】
　３．３．評価結果
　以上の評価試験の結果を表１に示す。
【０１２３】
【表１】
」
（４）甲第５号証（以下、「甲５」という。）
５ａ「2.4.4　粒子径と色特性
・・・
　それは、粒子径の増大に伴い着色力が極端に低下するという、顔料にとって致命的な欠陥が顕著になるからである。
・・・
2.4.5　粒子径と耐候（光）性（weather fastness、light fastness）
・・・粒子が小さいと破壊が容易に起こるが、大きな粒子では、表面は破壊されても内部の色は残っているため結果的に耐候（光）は向上するのである。
・・・」（第４４ページ第１行〜第４５ページ第９行）
５ｂ「
」（第２４８ページ）
５ｃ「
」（第４９９〜５００ページ）
（５）甲第１３号証（以下、「甲１３」という。）
１３ａ「【０１１６】
　生成したポリエステル樹脂粒子を回収し、ゲルパーミエーションクロマトグラフィー（ＧＰＣ）を用い分子量を測定し、更に示差熱天秤測定装置（ＤＳＣ）を用い融点を測定した。又、体積平均粒径は「Ｍｉｃｒｏｔｒａｃ　ＵＰＡ１５０」（日機装製）を用い測定した。」
２　甲号証に記載された発明
（１）甲１に記載された発明
　甲１には、インクＦとして「顔料としてＰＹ２１３を４質量％、分散剤としてＳｏｌ　３２０００を２質量％、定着樹脂としてＰ（ＶＣ―ＶＡｃ）を４質量％、界面活性剤としてＢＹＫ３５００を０．５質量％グリコールエーテル系溶剤としてＰＧＭＥを１０質量％、ＤＥＧＤＥＥを５０質量％、ＧＬ−３を９．５質量％、非プロトン極性溶剤としてＧＢＬを２０質量％含む、インク」の発明（以下、「甲１発明Ｆ」という。）が記載されているといえる（摘記１ｃ参照）。
　また、インクＧとして「顔料としてＰＢ　１５：３を４質量％、分散剤としてＳｏｌ　３２０００を２質量％、定着樹脂としてＰ（ＶＣ―ＶＡｃ）を４質量％、界面活性剤としてＢＹＫ３５００を０．５質量％、グリコールエーテル系溶剤としてＰＧＭＥを１０質量％、ＤＥＧＤＥＥを５９．５質量％、非プロトン極性溶剤としてＧＢＬを２０質量％含む、インク」の発明（以下、「甲１発明Ｇ」という。）が記載されているといえる（摘記１ｃ参照）。
（２）甲３に記載された発明
　甲３には、インク３として「溶媒としてジエチレングリコールジエチルエーテルを５１．０質量部、テトラエチレングリコールジメチルエーテルを２５．０質量部、γ−ブチロラクトンを１５．０質量部、顔料としてピグメントオレンジ６４を３．０質量部、分散剤としてアジスパーＰＢ８２１を１．０質量部、定着樹脂として重合体１を５質量部含む油性インク。」（以下、「甲３発明」という。）が記載されているといえる（摘記３ｄ参照）。
（３）甲４に記載された発明
　甲４には、実施例１として「顔料としてＰＢ　１５：３を４．０質量％、分散剤としてソルスパース３７５００を４．０質量％、環状エステルとしてＧＢＬを１０．０質量％、第１有機溶剤としてＤＥＧＭＥＥを５９．０質量％、第２有機溶剤としてＴｅｔｒａＥＧｍＢＥを２０．０質量％、界面活性剤としてＢＹＫ３４０を１．５質量％、定着樹脂としてパラペットＧ−１０００Ｐを１．５質量％含むインク」（以下、「甲４発明１」という。）が記載されているといえる（摘記４ｄ参照）。
　また、実施例６として「顔料としてＰＢ　１５：３を４．０質量％、分散剤としてソルスパース３７５００を４．０質量％、環状エステルとしてＧＢＬを３０．０質量％、第１有機溶剤としてＤＥＧＭＥＥを３５．０質量％、第２有機溶剤としてＴｅｔｒａＥＧｍＢＥを２４．０質量％、界面活性剤としてＢＹＫ３４０を１．５質量部、定着樹脂としてパラペットＧ−１０００Ｐを１．５質量％含むインク」（以下、「甲４発明６」という。）が記載されているといえる（摘記４ｄ参照）。
３　当審の判断
（１）甲１発明Ｆ、Ｇを主たる引用発明とする場合
ア　本件特許発明１
（ア）　甲１発明Ｆ、Ｇとの対比
　本件特許発明１と甲１発明Ｆ、Ｇを対比する。
　甲１発明Ｆの「グリコールエーテル系溶剤としてＰＧＭＥを１０質量％、ＤＥＧＤＥＥを５０質量％、ＧＬ−３を９．５質量％」及び甲１発明Ｇの「グリコールエーテル系溶剤としてＰＧＭＥを１０質量％、ＤＥＧＤＥＥを５９．５質量％」における「ＤＥＧＤＥＥ」、「ＧＬ−３」は、それぞれジエチレングリコールジエチルエーテル、トリエチレングリコールジメチルエーテルであり（摘記１ｃ参照）、本件特許発明１の一般式（１）で表される化合物であって、本件特許明細書【００２７】からみて、ジエチレングリコールジエチルエーテル、トリエチレングリコールジメチルエーテルの引火点は、それぞれ７１℃、１１３℃であるから、甲１発明Ｆ及びＧのグリコールエーテル系溶媒は、本件特許発明１の「下記一般式（１）で表される化合物を少なくとも１種と、
・・・
　前記一般式（１）で表される化合物として、引火点が１４０℃以下の化合物
・・・
　前記引火点が１４０℃以下の化合物が、ジエチレングリコールメチルエチルエーテル、ジエチレングリコールジメチルエーテル、ジエチレングリコールジエチルエーテル、ジエチレングリコールブチルメチルエーテル及びトリエチレングリコールジメチルエーテルから選ばれる１種以上であり
・・・
Ｒ１Ｏ−（Ｒ２Ｏ）ｍ−Ｒ３　　・・・（１）
［一般式（１）中、Ｒ１及びＲ３は、それぞれ独立して、水素又は炭素数１以上４以下のアルキル基を表し、Ｒ２は、炭素数２又は３のアルキレン基を表し、ｍは、２又は３の整数を表す。］」に相当する。
　甲１発明Ｆ及びＧの「非プロトン極性溶剤としてＧＢＬを２０質量部」は、「ＧＢＬ」はγ−ブチロラクトンであるから（摘記１ｃ参照）、本件特許発明１の「環状エステル
・・・
　前記環状エステルがγ−ブチロラクトンであり、
　前記環状エステルの含有量がインクジェットインク組成物の全量に対して１０質量％以上３０質量％以下であり、」に相当する。
　甲１発明Ｆ及びＧのインクは、インクジェットインク組成物であり（摘記１ａ参照）、水を含まないものである（摘記１ｃ参照）。
　そうすると、本件特許発明１と甲１発明Ｆ及びＧは、「下記一般式（１）で表される化合物を少なくとも１種と、
　環状エステルと、
　顔料と、
を含み、
　前記一般式（１）で表される化合物として、引火点が１４０℃以下の化合物を含み、
　前記引火点が１４０℃以下の化合物が、ジエチレングリコールメチルエチルエーテル、ジエチレングリコールジメチルエーテル、ジエチレングリコールジエチルエーテル、ジエチレングリコールブチルメチルエーテル及びトリエチレングリコールジメチルエーテルから選ばれる１種以上であり、
　前記環状エステルがγ−ブチロラクトンであり、
　前記環状エステルの含有量がインクジェットインク組成物の全量に対して１０質量％以上３０質量％以下であり、
　水の含有量が５質量％以下である、インクジェットインク組成物。
Ｒ１Ｏ−（Ｒ２Ｏ）ｍ−Ｒ３　　・・・（１）
［一般式（１）中、Ｒ１及びＲ３は、それぞれ独立して、水素又は炭素数１以上４以下のアルキル基を表し、Ｒ２は、炭素数２又は３のアルキレン基を表し、ｍは、２又は３の整数を表す。］
」である点で一致し、以下の点で相違する。
＜相違点１＞
　顔料が、本件特許発明１では体積平均粒子径が１００ｎｍ以上４００ｎｍ以下であるピグメントオレンジ−４３（ＰＯ−４３）であるのに対し、甲１発明Ｆでは体積平均粒子径の特定がないＰＹ２１３、甲１発明Ｇでは体積平均粒子径の特定がないＰＢ１５：３である点。
＜相違点２＞
　引火点が１４０℃以下の化合物の含有量が、本件特許発明１ではインクジェットインク組成物の全量に対して６０質量％以上８０質量％以下であるのに対し、甲１発明Ｆ及びＧではインクジェットインク組成物の全量に対して５９．５質量％である点。
（イ）　相違点についての検討
　＜相違点１＞及び＜相違点２＞について検討する。
　甲１には、当該インクに用いる顔料としてＣ．Ｉ．Ｐｉｇｍｅｎｔ　Ｏｒａｎｇｅ　４３（ＰＯ４３）が挙げられ、その平均粒径が１０〜２００ｎｍの範囲にあることが好ましいことが記載されている（摘記１ｂ参照）。
　また、甲５には、彩度の高いオレンジ顔料としてＰＯ−４３が用いられることが記載され（摘記５ｂ、５ｃ参照）、甲１には、有機溶剤の含有率は、特定インクの総量（１００質量％）に対し６０質量％以上であり、好ましくは７０質量％以上であることが、記載されている（摘記１ｂ参照）。
　しかしながら、甲１発明Ｆ及びＧにおいて、上記＜相違点１＞及び＜相違点２＞に係る本件特許発明１の発明特定事項を同時に備えるものとすることについては、甲１及び甲５のいずれにも記載も示唆も無いから、これを当業者が容易に想到し得るものであるということはできない。　
（ウ）　本件特許発明１の効果について
　本件特許発明１は、＜相違点１＞及び＜相違点２＞に係る本件特許発明１の発明特定事項を同時に備えるものとすることによって、耐候性、吐出安定性、光沢性、凝集ムラ、耐擦性及び発色性のいずれもが良好となっており（本件特許明細書の段落【００９１】）、甲１発明Ｇ及びＦ及び甲１、甲５の記載からは予測し得ない、格別顕著な作用効果を奏するものであり、そのような作用効果は、本件明細書に記載された実施例において確認されていると認められる。
（エ）　特許異議申立人の主張について
　特許異議申立人は、実施例として具体的に開示されている甲１発明Ｆ及びＧの顔料は、それぞれＰＹ２１３（イエロー）、ＰＢ１５：３（シアン）であったとしても、これらの顔料自体に特徴があるものではないので、甲１の【０１０３】の記載に基づいてＰＹ２１３又はＰＢ１５：３の代わりにＰＯ４３を用いることに何ら困難性はなく、「ジエチレングリコールメチルエチルエーテル、ジエチレングリコールジメチルエーテル、ジエチレングリコールジエチルエーテル、ジチレングリコールブチルメチルエーテル及びトリエチレングリコールジメチルエーテルから選ばれる１種以上」の含有量が６０質量以上の優位性は立証されていないと主張する。
　しかしながら、この主張は、要するに、＜相違点１＞及び＜相違点２＞に係る構成を備えることについて個別に動機付けができると主張するにとどまるものである。そして、上記（イ）のとおり、両者を同時に備えるものとすることは、容易になし得るとはいえず、かつ、上記（ウ）のとおり、本件特許発明１は、＜相違点１＞及び＜相違点２＞に係る構成を備えることによって所定の効果を奏するものである。したがって、特許異議申立人の上記主張は採用できない。
（オ）　まとめ
　以上のとおり、本件特許発明１は、甲１発明Ｆ及びＧ、及び、甲１、甲５の記載に基いて当業者が容易に発明をすることができたものであるとすることはできない。
イ　本件特許発明２〜８について
　本件特許発明２〜８は、「体積平均粒子径が１００ｎｍ以上４００ｎｍ以下であるピグメントオレンジ−４３（ＰＯ−４３）」を含み、「一般式（１）で表される化合物として、引火点が１４０℃以下の化合物の含有量がインクジェットインク組成物の全量に対して６０質量％以上８０質量％以下であり、
　前記引火点が１４０℃以下の化合物が、ジエチレングリコールメチルエチルエーテル、ジエチレングリコールジメチルエーテル、ジエチレングリコールジエチルエーテル、ジエチレングリコールブチルメチルエーテル及びトリエチレングリコールジメチルエーテルから選ばれる１種以上であり」という点を発明特定事項に備えているところ、上記本件特許発明１と甲１発明Ｆ及びＧとの相違点１及び相違点２と実質的に同等の相違点を有するものであるから、本件特許発明２〜８についても、甲１発明Ｆ及びＧ、及び、甲１、甲５の記載に基いて当業者が容易に発明をすることができたものであるとすることはできない。
（２）甲３発明を主たる引用発明とする場合
ア　本件特許発明１
（ア）　甲３発明との対比
　甲３発明の「溶媒としてジエチレングリコールジエチルエーテルを５１．０質量部、テトラエチレングリコールジメチルエーテルを２５．０質量部」は、ジエチレングリコールジエチルエーテル及びテトラエチレングリコールジメチルエーテルは本件特許発明１の一般式（１）で表される化合物であり、本件特許明細書【００２７】からみて、ジエチレングリコールジエチルエーテルの引火点は７１℃であるから、本件特許発明１の「下記一般式（１）で表される化合物を少なくとも１種と、
・・・
　前記一般式（１）で表される化合物として、引火点が１４０℃以下の化合物
・・・
Ｒ１Ｏ−（Ｒ２Ｏ）ｍ−Ｒ３　　・・・（１）
［一般式（１）中、Ｒ１及びＲ３は、それぞれ独立して、水素又は炭素数１以上４以下のアルキル基を表し、Ｒ２は、炭素数２又は３のアルキレン基を表し、ｍは、２又は３の整数を表す。］」に相当する。
　甲３発明の「γ−ブチロラクトン１５．０質量部」は、本件特許発明１の「　環状エステル
・・・
　前記環状エステルがγ−ブチロラクトンであり、
　前記環状エステルの含有量がインクジェットインク組成物の全量に対して１０質量％以上３０質量％以下であり、」に相当する。
　甲３発明のインクは、インクジェットインク組成物であり（摘記３ｅ参照）、水を含まないものである（摘記３ｄ参照）。
　甲３発明の顔料の平均粒径は２５０ｎｍであり（摘記３ｄ参照）、「平均粒径（Ｄ５０）は、日機装（株）製の粒度分析計マイクロトラックＵＰＡ１５０を使用して測定した」（摘記３ｄ参照）との記載からみて、マイクロトラックＵＰＡ１５０を使用して測定されるものであって、粒径分布の基準を体積平均粒径（摘記１３ａ参照）とすることも普通に行われるから、体積平均粒子径であると認められる。
　そうすると、本件特許発明１と甲３発明は、「下記一般式（１）で表される化合物を少なくとも１種と、
　環状エステルと、
　体積平均粒子径が１００ｎｍ以上４００ｎｍ以下である顔料と、
を含み、
　前記一般式（１）で表される化合物として、引火点が１４０℃以下の化合物を含み、
　前記引火点が１４０℃以下の化合物が、ジエチレングリコールメチルエチルエーテル、ジエチレングリコールジメチルエーテル、ジエチレングリコールジエチルエーテル、ジエチレングリコールブチルメチルエーテル及びトリエチレングリコールジメチルエーテルから選ばれる１種以上であり、
　前記環状エステルがγ−ブチロラクトンであり、
　前記環状エステルの含有量がインクジェットインク組成物の全量に対して１０質量％以上３０質量％以下であり、
　水の含有量が５質量％以下である、インクジェットインク組成物。
Ｒ１Ｏ−（Ｒ２Ｏ）ｍ−Ｒ３　　・・・（１）
［一般式（１）中、Ｒ１及びＲ３は、それぞれ独立して、水素又は炭素数１以上４以下のアルキル基を表し、Ｒ２は、炭素数２又は３のアルキレン基を表し、ｍは、２又は３の整数を表す。］」である点で一致し、以下の点で相違する。
＜相違点３＞
　顔料が、本件特許発明１ではピグメントオレンジ−４３（ＰＯ−４３）であるのに対し、甲３発明ではピグメントオレンジ６４である点。
＜相違点４＞
　引火点が１４０℃以下の化合物の含有量が、本件特許発明１ではインクジェットインク組成物の全量に対して６０質量％以上８０質量％以下であるのに対し、甲３発明ではインクジェットインク組成物の全量に対して５９．５質量％である点。
（イ）　相違点についての検討
　＜相違点３＞及び＜相違点４＞について検討する。
　甲３には、Ｃ．Ｉ．ピグメントオレンジ−４３（ＰＯ−４３）を用いることについては記載も示唆もない。
　また、甲５には、彩度の高いオレンジ顔料としてＰＯ−４３が用いられることが記載され（摘記５ｂ、５ｃ参照）、甲３には、ジエチレングリコールジエチルエーテルを６０．０質量部含むインク１が記載されている（摘記３ｄ参照）。
　しかしながら、甲３発明において上記＜相違点３＞及び＜相違点４＞に係る本件特許発明１の発明特定事項を同時に備えるものとすることについては、甲３及び甲５のいずれにも記載も示唆も無いから、これを、当業者が容易に想到し得るものであるということはできない。　
（ウ）　本件特許発明１の効果について
　本件特許発明１は、＜相違点３＞及び＜相違点４＞に係る本件特許発明１の発明特定事項を同時に備えるものとすることによって、耐候性、吐出安定性、光沢性、凝集ムラ、耐擦性及び発色性のいずれもが良好となっており（本件特許明細書の段落【００９１】）、甲３発明及び甲３、甲５の記載からは予測し得ない、格別顕著な作用効果を奏するものであり、そのような作用効果は、本件明細書に記載された実施例において確認されていると認められる。
（エ）　特許異議申立人の主張について
　特許異議申立人は、甲５に接した当業者であれば、画像の耐候性をより向上させるために、甲３に記載のインク３（オレンジインク）に含まれるＰＯ６４に代えて、濃度に関わらず耐候性が良好なＰＯ４３を用いることは容易であり、甲３においてもジエチレングリコールジエチルエーテルの含有量が６０質量％の油性インク１が記載されていることから、甲３の油性インク３においてジエチレングリコールジエチルエーテルの含有量を６０質量以上に調製することは容易であり何ら困難性は無いと主張する。
　しかしながら、この主張は、要するに、＜相違点３＞及び＜相違点４＞に係る構成を備えることについて個別に動機付けができると主張するにとどまるものである。そして、上記（イ）のとおり、両者を同時に備えるものとすることは、容易になし得るとはいえず、かつ、上記（ウ）のとおり、本件特許発明１は、＜相違点３＞及び＜相違点４＞に係る構成を備えることによって所定の効果を奏するものである。したがって、特許異議申立人の上記主張は採用できない。
（オ）　まとめ
　以上のとおり、本件特許発明１は、甲３発明及び甲３、甲５の記載に基いて当業者が容易に発明をすることができたものであるとすることはできない。
イ　本件特許発明２〜８について
　本件特許発明２〜８は、「ピグメントオレンジ−４３（ＰＯ−４３）」を含み、「一般式（１）で表される化合物として、引火点が１４０℃以下の化合物の含有量がインクジェットインク組成物の全量に対して６０質量％以上８０質量％以下であり、
　前記引火点が１４０℃以下の化合物が、ジエチレングリコールメチルエチルエーテル、ジエチレングリコールジメチルエーテル、ジエチレングリコールジエチルエーテル、ジエチレングリコールブチルメチルエーテル及びトリエチレングリコールジメチルエーテルから選ばれる１種以上であり」という点を発明特定事項に備えているところ、上記本件特許発明１と甲３発明との相違点３及び相違点４と実質的に同等の相違点を有するものであるから、本件特許発明２〜８についても、甲３発明、及び、甲３、甲５の記載に基いて当業者が容易に発明をすることができたものであるとすることはできない。
（３）甲４発明１、６を主たる引用発明とする場合
ア　本件特許発明１
（ア）甲４発明１、６との対比
　甲４発明１の「第１有機溶剤としてＤＥＧＭＥＥを５９．０質量％、第２有機溶剤としてＴｅｔｒａＥＧｍＢＥを２０．０質量％」及び甲４発明６の「第１有機溶剤としてＤＥＧＭＥＥを３５．０質量％、第２有機溶剤としてＴｅｔｒａＥＧｍＢＥを２４．０質量％」におけるＤＥＧＭＥＥ、ＴｅｔｒａＥＧｍＢＥは、それぞれ、ジエチレングリコールメチルエチルエーテル、テトラエチレングリコールモノブチルエーテルであり（摘記４ｄ参照）、ジエチレングリコールメチルエチルエーテル及びテトラエチレングリコールモノブチルエーテルは本件特許発明１の一般式（１）で表される化合物であり、本件特許明細書【００２７】からみて、ジエチレングリコールメチルエチルエーテルの引火点は６４℃であるから、甲４発明１及び６の有機溶剤は、本件特許発明１の「下記一般式（１）で表される化合物を少なくとも１種と、
・・・
　前記一般式（１）で表される化合物として、引火点が１４０℃以下の化合物
・・・
Ｒ１Ｏ−（Ｒ２Ｏ）ｍ−Ｒ３　　・・・（１）
［一般式（１）中、Ｒ１及びＲ３は、それぞれ独立して、水素又は炭素数１以上４以下のアルキル基を表し、Ｒ２は、炭素数２又は３のアルキレン基を表し、ｍは、２又は３の整数を表す。］」に相当する。
　甲４発明１及び６の「ＧＢＬを１０．０質量％」及び「ＧＢＬを３０．０質量」は、ＧＢＬはγ−ブチロラクトンであるから（摘記４ｄ参照）、本件特許発明１の「環状エステル
・・・
　前記環状エステルがγ−ブチロラクトンであり、
　前記環状エステルの含有量がインクジェットインク組成物の全量に対して１０質量％以上３０質量％以下であり、」に相当する。
　甲４発明１及び６のインクは、インクジェットインク組成物であり（摘記４ａ参照）、水を含まないものである（摘記４ｄ参照）。
　甲４発明１及び６の顔料の平均粒径は、１３０ｎｍであり（摘記４ｄ参照）、上記（１）ア（イ）と同様に、体積平均粒径であると認められる。
　そうすると、本件特許発明１と甲４発明１及び６は、「下記一般式（１）で表される化合物を少なくとも１種と、
　環状エステルと、
　体積平均粒子径が１００ｎｍ以上４００ｎｍ以下である顔料と、
を含み、
　前記一般式（１）で表される化合物として、引火点が１４０℃以下の化合物を含み、
　前記引火点が１４０℃以下の化合物が、ジエチレングリコールメチルエチルエーテル、ジエチレングリコールジメチルエーテル、ジエチレングリコールジエチルエーテル、ジエチレングリコールブチルメチルエーテル及びトリエチレングリコールジメチルエーテルから選ばれる１種以上であり、
　前記環状エステルがγ−ブチロラクトンであり、
　前記環状エステルの含有量がインクジェットインク組成物の全量に対して１０質量％以上３０質量％以下であり、
　水の含有量が５質量％以下である、インクジェットインク組成物。
Ｒ１Ｏ−（Ｒ２Ｏ）ｍ−Ｒ３　　・・・（１）
［一般式（１）中、Ｒ１及びＲ３は、それぞれ独立して、水素又は炭素数１以上４以下のアルキル基を表し、Ｒ２は、炭素数２又は３のアルキレン基を表し、ｍは、２又は３の整数を表す。］」である点で一致し、以下の点で相違する。
＜相違点５＞
　顔料が、本件特許発明１ではピグメントオレンジ−４３（ＰＯ−４３）であるのに対し、甲４発明１及び６ではＰＢ−１５：３である点。
＜相違点６＞
　引火点が１４０℃以下の化合物の含有量が、本件特許発明１ではインクジェットインク組成物の全量に対して６０質量％以上８０質量％以下であるのに対し、甲４発明１及び６ではインクジェットインク組成物の全量に対して、それぞれ、５９．０質量％及び３５．０質量％である点。
（イ）　相違点についての検討
　＜相違点５＞及び＜相違点６＞について検討する。
　甲４には、インク組成物をオレンジのインクとする場合には、配合される顔料として、ピグメントオレンジ４３が例示されている（摘記４ｂ参照）。
　また、甲５には、彩度の高いオレンジ顔料としてＰＯ−４３が用いられることが記載され（摘記５ｂ、５ｃ参照）、甲４には、ＤＥＧＭＥＥのような第１有機溶剤の含有量が２０質量％以上８５質量％以下であることが、記載されている。
　しかしながら、甲４発明１、６において、上記＜相違点５＞及び＜相違点６＞に係る本件特許発明１の発明特定事項を同時に備えるものとすることについては、甲４及び甲５のいずれにも記載も示唆も無いから、当業者が容易に想到し得るものであるということはできない。
（ウ）　本件特許発明１の効果について
　本件特許発明１は、＜相違点５＞及び＜相違点６＞に係る本件特許発明１の発明特定事項を同時に備えるものとすることによって、耐候性、吐出安定性、光沢性、凝集ムラ、耐擦性及び発色性のいずれもが良好となっており（本件特許明細書の段落【００９１】）、甲４発明１、６、及び、甲４、甲５の記載からは予測し得ない、格別顕著な作用効果を奏するものであり、そのような作用効果は、本件明細書に記載された実施例において確認されていると認められる。
（エ）　特許異議申立人の主張について
　特許異議申立人は、甲４では従来公知の染料や顔料を用いることが可能であり、色材（顔料）については何ら制限がないというのが甲４の技術的思想であることは明らかであり、すると、実施例として具体的に開示されている甲４の実施例１、６の顔料がＰＢ１５：３（シアン）であったとしても、甲４の【００３１】の記載に基づいてＰＢ１５：３の代わりにＰＯ４３を用いることに何ら困難性はなく、ジエチレングリコールメチルエチルエーテルの含有量が５９．０質量％である実施例１や３５．０質量％である実施例６においてその含有量を６０質量％以上とすることに何ら困難性は無いと主張する。
　しかしながら、この主張は、要するに、＜相違点５＞及び＜相違点６＞に係る構成を備えることについて個別に動機付けができると主張するにとどまるものである。そして、上記（イ）のとおり、両者を同時に備えるものとすることは、容易になし得るとはいえず、かつ、上記（ウ）のとおり、本件特許発明１は、＜相違点５＞及び＜相違点６＞に係る構成を備えることによって所定の効果を奏するものである。したがって、特許異議申立人の上記主張は採用できない。
（オ）　まとめ
　以上のとおり、本件特許発明１は、甲４発明１及び６、及び、甲４、甲５、甲１３の記載に基いて当業者が容易に発明をすることができたものであるとすることはできない。
イ　本件特許発明２〜８について
　本件特許発明２〜８は、「ピグメントオレンジ−４３（ＰＯ−４３）」を含み、「一般式（１）で表される化合物として、引火点が１４０℃以下の化合物の含有量がインクジェットインク組成物の全量に対して６０質量％以上８０質量％以下であり、
　前記引火点が１４０℃以下の化合物が、ジエチレングリコールメチルエチルエーテル、ジエチレングリコールジメチルエーテル、ジエチレングリコールジエチルエーテル、ジエチレングリコールブチルメチルエーテル及びトリエチレングリコールジメチルエーテルから選ばれる１種以上であり」という点を発明特定事項に備えているところ、上記本件特許発明１と甲３発明との相違点５及び相違点６と実質的に同等の相違点を有するものであるから、本件特許発明２〜８についても、甲４発明、及び、甲４、甲５の記載に基いて当業者が容易に発明をすることができたものであるとすることはできない。
第６　前記第４における理由２（サポート要件）についての判断
　理由２は、要するに、本件特許発明のうち、本願実施例で効果が確認されている溶剤以外の引火点が１４０℃以下の一般式（１）で表される溶剤を含んでいる場合や本願実施例で効果が確認されている引火点が１４０℃以下の一般式（１）で表される溶剤とともに他の溶剤をも一定量含む場合には、本願実施例と同様に耐候性の良好な画像を形成でき、かつ、インクジェット記録における安定性、画質及び画像の耐擦性が良好である根拠を、本願発明の詳細な説明の記載から見いだすことができないというものであるが、本件特許発明１では「引火点が１４０℃以下の一般式（１）で表される溶剤」について、「引火点が１４０℃以下の化合物の含有量がインクジェットインク組成物の全量に対して６０質量％以上８０質量％以下であり、
　前記引火点が１４０℃以下の化合物が、ジエチレングリコールメチルエチルエーテル、ジエチレングリコールジメチルエーテル、ジエチレングリコールジエチルエーテル、ジエチレングリコールブチルメチルエーテル及びトリエチレングリコールジメチルエーテルから選ばれる１種以上であり」と規定していることから、本件特許の実施例で効果が確認されている溶剤に特定された。
　そうすると、本件出願時の当業者の技術常識に照らして、本件の課題を解決できると判断できる根拠のない溶剤を含まなくなったことから、本件請求項１〜８に係る発明の範囲は、発明の詳細な説明に開示された内容を超えて拡張ないし一般化されたものであるとはいえない。
第７　取消理由通知において採用しなかった特許異議申立理由について
１　取消理由通知において採用しなかった特許異議申立理由
　特許異議申立人の主張は以下のとおりである。
（１）特許法第２９条第１項第３号　
　本件特許発明１〜８は、本件特許優先日前に日本国内又は外国において、頒布された甲１又は甲４に記載された発明であるから、特許法第２９条第１項第３号に該当し、特許を受けることができない発明である。
（２）特許法第２９条第２項
　本件特許の請求項１〜８に係る発明は、本件特許優先日前に日本国内又は外国において、頒布された甲第２号証、甲第５号証から甲第１１号証、甲第１４号証に記載された発明又は電気通信回線を通じて公衆に利用可能となった発明に基いて、本件特許優先日前にその発明の属する技術の分野における通常の知識を有する者が容易に発明をすることができたものである。
甲第２号証：特開２００９−１６９１号公報
甲第５号証：橋本勲、Organic Pigments Handbook 有機顔料ハンドブック、２００６年５月発行、ｐ．４４、４５、２４８、４９９−５００
甲第６号証：原田大輔等、日本画像学会誌　第５２巻　第２号　２０１３　ｐ．１４７―１５４
甲第７号証：特開２０１０−４３１４９号公報
甲第８号証：特開２００９−２１５４６１号公報
甲第９号証：特開２００９−２１５４６０号公報
甲第１０号証：特開２００９−２７００４３号公報
甲第１１号証：特開２０１１−６５４１号公報
甲第１４号証：特開２０１２−２３３０８６号公報
（３）特許法第３６条第６項第１号
ア　溶剤の含有量について本件の【請求項１】では、引火点が１４０℃以下の一般式（１）で表される化合物の合計含有量が、インクジェットインク組成物の全量に対して、２０質量％以上８０質量％以下であることが規定されている（構成要件Ｄ)。
　ここで、本件特許公報の【００９２】【００９３】の【表１】【表２】には、引火点１４０℃以下の一般式（１）で表される化合物として、ＤＥＧＭＥＥ（ジエチレングリコールメチルエチルエーテル）、ＤＥＧｄＭＥ（ジエチレングリコールジメチルエーテル）、ＤＥＧＤＥＥ（ジエチレングリコールジエチルエーテル）、ＤＥＧＢＭＥ（ジエチレングリコールプチルメチルエーテル）、ＴｒｉＥＧｄＭＥ（トリエチレングリコールジメチルエーテル）が記載されている。
　しかしながら、表１の実施例のＮｏ．１〜１３での引火点が１４０℃以下の一般式（１）で表される化合物の合計含有量はいずれも３９．０〜６９．０質量％の範囲となっている。
　例えば、引火点が１４０℃以下の一般式（１）で表される化合物の合計含有量が２０質量％以上３９ 質量％未満のものや６９質量％超８０質量％未満等について本願実施例と同様に耐候性の良好な画像を形成でき、かつ、インクジェット記録における安定性、画質及び画像の耐擦性が良好であるという効果が立証されておらず、１４０℃以下の一般式（１）で表される化合物の合計含有量が２０質量％以上８０質量％以下の範囲まで発明の詳細な説明に開示された内容を拡張ないし一般化できるとはいえない。
イ　本件特許発明１では、塩化ビニル系樹脂を含むことは特定していないものの、本件特許公報の【００９２】【００９３】の【表１】【表２】に記載の実施例１−２１のインク組成物には全て、塩化ビニル系樹脂（ソルバインＣＬ）が含まれている。インク組成物に樹脂が含まれれば、得られる画像の耐侯性やインクジェット記録における安定性、画質及び画像の耐擦性は変化することが推定されるものの、樹脂を含まないインク組成物や、塩化ビニル系樹脂とは異なる樹脂を含有するインク組成物についても本願実施例と同様に耐候性の良好な画像を形成でき、かつ、インクジェット記録における安定性、画質及び画像の耐擦性が良好であるという効果が立証されておらず本件特許発明１の範囲まで発明の詳細な説明に開示された内容を拡張ないし一般化できるとはいえない。
（４）　特許法第３６条第４項第１号
　本件特許公報に記載されている実施例では、本件の【請求項１】で特定されている発明を実施できる程度に明確かつ十分に記載されているとはいえない。
　本件特許発明１及びこれを引用する本件特許発明２〜８についても同様である。
２　取消理由通知において採用しなかった特許異議申立理由についての判断
（１）　特許法第２９条第１項第３号
　上記第５、３（１）ア（ア）で対比検討したとおり、本件特許発明１〜８と甲１発明Ｆ及びＧには相違点１及び相違点２があり、相違点１及び相違点２は実質的な相違点であるから、本件特許発明１〜８は甲１に記載された発明とすることはできない。
　上記第５、３（３）ア（ア）で対比検討したとおり、本件特許発明１〜８と甲４発明１及び６には相違点５及び相違点６があり、相違点５及び相違点６は実質的な相違点であるから、本件特許発明１〜８は甲４に記載された発明とすることはできない。
（２）　特許法第２９条第２項
ア　甲号証の記載について　
（ア）甲第２号証（以下、「甲２」という。）
２ａ「【請求項１】
下記一般式（１）で示されるポリアルキレングリコールジアルキルエーテルおよび／または下記一般式（２）で示される環状エステル類からなる有機溶媒中に、バインダー樹脂、分散剤と共に有機顔料として少なくともＣ．Ｉ．ピグメント　イエロー　２１３を含有することを特徴とするインクジェット記録用油性インク組成物。
　一般式（１）
　　Ｒ1 −（ＯＣ2 Ｈ4 ）n −ＯＲ2 
（式中、Ｒ1 、Ｒ2 は炭素数１〜３のアルキル基であり、同一でも、異なっていてもよく、ｎは２〜４の整数である。）
【化１】
（式中、Ｘ1 およびＸ2 は、それぞれ独立して、水素原子、炭素数１〜５のアルキル基、またはアルケニル基を示し、ｍは１〜３の整数を示す。）
２ｂ「【００４１】
　以下、実施例によって本発明を説明するが、これらは本発明の範囲を限定するものではない。なお、実施例においては、粘度はアントンパール社製「ＡＭＶｎ」粘度計を使用して測定し、また、顔料粒子の粒径は、日機装（株）製「マイクロトラックＵＰＡ１５０」を使用して測定したものである。
【実施例】
【００４２】
　（実施例１）
　下記組成の樹脂溶液を調製した。
・　ジエチレングリコールジエチルエーテル　　　　　・・・　４５．６質量部
・　テトラエチレングリコールジメチルエーテル　　　・・・　２０．０質量部
・　γ−ブチロラクトン　　　　　　　　　　　　　　・・・　２５．０質量部
・　バインダー樹脂（アクリル系樹脂、ローム＆ハース社製「パラロイドＢ６０」）
　　　　　　　　　　　　　　　　　　　　　　　　　　・・・　　４．０質量部
　得られた樹脂溶液の一部に、Ｃ．Ｉ．ピグメント　イエロー　２１３（クラリアント社製「Ｈｏｓｔａｐｅｒｍ　Ｙｅｌｌｏｗ　Ｈ５Ｇ」）を３．６質量部と分散剤（ルブリソール社製「ソルスパース３２０００」）を１．８質量部とを添加し、ディソルバーで３，０００ｒｐｍにて１時間攪拌した後、ジルコニアビーズ（２ｍｍ）を充填したビーズミルで予備分散した。得られた顔料粒子の平均粒径は５μｍ以下であった。更に、ジルコニアビーズ（０．３ｍｍ）を充填したナノミルで本分散を行い、顔料分散液を得た。この本分散により得られる顔料粒子の平均粒径は１５０ｎｍであった。」
（イ）甲５
　前記第５　１（４）のとおり。
（ウ）甲第６号証（以下、「甲６」という。）
６ａ「5.1　これまで使用されてきたトナー顔料
・・・
その他
　一部特殊な要求，例えばアジア市場特有の判子色の再現性や赤・オレンジ色の再現域を拡げる目的に応じて，PR208，PR214，PR242，PR188，Pigment Orange（以後，POと略）４３などが使用される．」（第１５０ページ左欄下から第５行〜第１５１ページ左欄第９行）
（エ）甲第７号証（以下、「甲７」という。）
７ａ「【請求項１】
　カーボンブラックを分散剤なしに水に分散可能とした平均粒径が５０ｎｍ以上３００ｎｍ以下の分散体と、ガラス転位温度が−１０℃以下で、且つ酸価が１００ｍｇＫＯＨ／ｇ以下である高分子微粒子とを含んでなるブラックインク組成物、および顔料をポリマーを用いて水に分散可能とした平均粒径が５０ｎｍ以上３００ｎｍ以下の分散体であって、当該ポリマーのゲルパーミエーションクロマトグラフィーによるスチレン換算重量平均分子量が１００００以上２０００００以下である分散体と、ガラス転位温度が−１０℃以下で、且つ酸価が１００ｍｇＫＯＨ／ｇ以下である高分子微粒子とを含んでなる少なくとも１種以上のカラーインク組成物を有することを特徴とするインクセット。
【請求項２】
　前記カラーインク組成物が、少なくともイエローインク組成物、マゼンタインク組成物およびシアンインク組成物を有することを特徴とする請求項１に記載のインクセット。
【請求項３】
　前記イエローインク組成物の顔料が、Ｃ．Ｉ．ピグメントイエロー１８０および／またはＣ．Ｉ．ピグメントイエロー１８５であり、前記マゼンタインク組成物の顔料が、Ｃ．Ｉ．ピグメントレッド１２２であり、前記シアンインク組成物の顔料が、Ｃ．Ｉ．ピグメントブルー１５：３であることを特徴とする請求項２に記載のインクセット。
【請求項４】
　さらに、レッドインク組成物、ブルーインク組成物、オレンジインク組成物およびグリーンインク組成物からなる群から選ばれる一種または二種以上を有することを特徴とする請求項２または請求項３に記載のインクセット。
【請求項５】
　前記レッドインク組成物の顔料が、Ｃ．Ｉ．ピグメントレッド１７０および／またはＣ．Ｉ．ピグメントレッド２５４であり、前記ブルーインク組成物の顔料が、Ｃ．Ｉ．ピグメントブルー６０であり、前記オレンジインク組成物の顔料が、Ｃ．Ｉ．ピグメントオレンジ４３であり、前記グリーンインク組成物の顔料が、Ｃ．Ｉ．ピグメントグリーン３６であることを特徴とする請求項４に記載のインクセット。」
（エ）甲第８号証（以下、「甲８」という。）
８ａ「請求項１】
　オレンジ、バイオレット、又はグリーン色を呈する有機顔料の少なくとも１種、
　下記式（１）で表されるモノマーに由来する繰り返し単位を含む重合体、及び、
　活性放射線硬化性化合物を含有することを特徴とする
　インクジェット用インク組成物。
【化１】
  前記式（１）において、Ｒ1は、水素原子又はアルキル基を表す。Ｒ2及びＲ3は、一価の置換基を表す。また、Ｒ2とＲ3とが連結して環状構造を形成してもよい。Ｗは、−ＣＯ−、−Ｃ（＝Ｏ）Ｏ−、−ＣＯＮＲ−、−ＯＣ（＝Ｏ）−、及びフェニレン基のいずれかを表す。Ｒは、水素原子、アルキル基、アリール基、又はアラルキル基を表す。Ｘは、単結合又は２価の連結基を表す。
・・・
【請求項４】
　前記有機顔料が以下に示す群から選ばれた少なくとも１種である請求項１〜３のいずれか１つに記載のインクジェット用インク組成物。
　Ｃ．Ｉ．ピグメントオレンジ３６，３８，４３，７１、
　Ｃ．Ｉ．ピグメントバイオレット２３，３２，３７，３９、及び
　Ｃ．Ｉ．ピグメントグリーン７，３６，３７」
（オ）甲第９号証（以下、「甲９」という。）
９ａ「【請求項１】
　オレンジ、バイオレット、又はグリーン色を呈する有機顔料の少なくとも１種、
　下記式（１）で表される重合体、及び、
　活性放射線硬化性化合物を含有することを特徴とする
　インクジェット用インク組成物。
【化１】
　前記式（１）において、Ｒ1は、（ｍ＋ｎ）価の有機連結基を表し、Ｒ2は、単結合又は２価の有機連結基を表す。Ａ1は、有機色素構造、複素環構造、酸性基、塩基性窒素原子を有する基、ウレア基、ウレタン基、配位性酸素原子を有する基、炭素数４以上の炭化水素基、アルコキシシリル基、エポキシ基、イソシアネート基、及び水酸基からなる群より選択される少なくとも１種よりなる顔料吸着構造を含む１価の有機基を表す。ｎ個のＡ1、Ｒ2は、それぞれ独立に、同一であっても、異なっていてもよい。ｍは、１〜８、ｎは、２〜９を表し、ｍ＋ｎは、３〜１０である。Ｐ1は、ポリマー骨格を表す。ｍ個のＰ1は、同一であってもよいし、異なっていてもよい。
・・・
【請求項７】
　前記有機顔料が以下に示す群から選ばれた少なくとも１種である請求項１〜６のいずれか１つに記載のインクジェット用インク組成物。
　Ｃ．Ｉ．ピグメントオレンジ３６，３８，４３，７１、
　Ｃ．Ｉ．ピグメントバイオレット２３，３２，３７，３９、及び
　Ｃ．Ｉ．ピグメントグリーン７，３６，３７」
（カ）甲第１０号証（以下、「甲１０」という。）
１０ａ「【請求項１】
少なくとも顔料、定着樹脂と、下記一般式（１）及び（２）で表される化合物群から選ばれる１種類以上の化合物からなる化合物（Ａ）と、下記一般式（３）で表される化合物群から選ばれる１種類以上の化合物からなる溶媒（Ｂ）とを含有し、該化合物（Ａ）の含有量が１．５質量％以上、３０質量％以下であり、含水率が０．５％以上、４％以下であることを特徴とする非水系インクジェットインク。
【化１】
（式中、Ｒ１、Ｒ２はそれぞれ炭素数が１〜６の置換基を表し、Ｒ１とＲ２が結合して環を形成していてもよい。）
【化２】
（式中、Ｒ３、Ｒ４はそれぞれ炭素数が１〜６の置換基を表し、Ｒ３とＲ４が結合して環を形成していてもよい。）
【化３】
（式中、Ｒ７、Ｒ８はそれぞれメチル基またはエチル基を表し、ＯＸ２はオキシエチレン基またはオキシプロピレン基を表す。）」
１０ｂ「【００６３】
　オレンジまたはイエロー用の顔料としては、例えば、Ｃ．Ｉ．ピグメントオレンジ３１、Ｃ．Ｉ．ピグメントオレンジ４３、Ｃ．Ｉ．ピグメントイエロー１、Ｃ．Ｉ．ピグメントイエロー２、Ｃ．Ｉ．ピグメントイエロー３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１５：３、Ｃ．Ｉ．ピグメントイエロー１６、Ｃ．Ｉ．ピグメントイエロー１７、Ｃ．Ｉ．ピグメントイエロー７３、Ｃ．Ｉ．ピグメントイエロー７４、Ｃ．Ｉ．ピグメントイエロー７５、Ｃ．Ｉ．ピグメントイエロー８３、Ｃ．Ｉ．ピグメントイエロー９３、Ｃ．Ｉ．ピグメントイエロー９５、Ｃ．Ｉ．ピグメントイエロー９７、Ｃ．Ｉ．ピグメントイエロー９８、Ｃ．Ｉ．ピグメントイエロー１０９、Ｃ．Ｉ．ピグメントイエロー１１０、Ｃ．Ｉ．ピグメントイエロー１１４、Ｃ．Ｉ．ピグメントイエロー１２０、Ｃ．Ｉ．ピグメントイエロー１２８、Ｃ．Ｉ．ピグメントイエロー１２９、Ｃ．Ｉ．ピグメントイエロー１３０、Ｃ．Ｉ．ピグメントイエロー１３８、Ｃ．Ｉ．ピグメントイエロー１４７、Ｃ．Ｉ．ピグメントイエロー１５０、Ｃ．Ｉ．ピグメントイエロー１５１、Ｃ．Ｉ．ピグメントイエロー１５４、Ｃ．Ｉ．ピグメントイエロー１５５、Ｃ．Ｉ．ピグメントイエロー１８０、Ｃ．Ｉ．ピグメントイエロー１８５、Ｃ．Ｉ．ピグメントイエロー２１３、Ｃ．Ｉ．ピグメントイエロー２１４等が挙げられる。」
（キ）甲第１１号証（以下、「甲１１」という。）
１１ａ「【請求項１】
　顔料、顔料誘導体、顔料分散剤、及び有機溶剤を含有し、インク最終組成を有する混合液を調製し、
　前記混合液を、７０℃以下で加温して、水分量が０．３質量％以下となるように脱水処理する、油性顔料インクの製造方法。」
（ク）甲第１４号証（以下、「甲１４」という。）
１４ａ「【請求項７】
　顔料、有機溶剤、及び懸濁重合よって製造された塩化ビニル酢酸ビニル共重合樹脂を含むインクジェット記録用インクであって、
　前記有機溶剤がジエチレングリコールモノメチルエーテルまたはジエチレングリコールモノエチルエーテルの少なくともどちらか一方と、ジエチレングリコールエチルメチルエーテルとを含有する溶剤が主溶剤であり、前記ジエチレングリコールエチルメチルメチル
エーテルに対する前記ジエチレングリコールモノメチルエーテル、前記ジエチレングリコールモノエチルエーテルまたは前記ジエチレングリコールモノエチルエーテルと前記ジエチレングリコールモノメチルエーテルの混合溶液の重量比率Ｒ１が、１．２≦Ｒ１≦４．０、の式で表す範囲内であることを特徴とするインクジェット記録用インク。」
１４ｂ「【０００８】
　又、例えば、特許文献２にはバインダ樹脂として塩酢ビ樹脂を用い、有機溶剤としてジエチレングリコールエチルメチルエーテル（以下、ＭＥＤＧと記載する）とジエチレングリコールジエチルエーテル（以下、ＤＥＤＧと記載する）とテトラエチレングリコールジメチルエーテル（以下、ＤＭＴｅＧと記載する）を併用したインクジェット記録用インクが開示されている。」
１４ｃ「【００４０】
　上記の方法により選定を行った結果、懸濁重合により製造された塩酢ビ樹脂の溶解性、溶剤の揮発性、溶剤の臭気性に優れるグリコールエーテル類のＭＥＤＧと、同じくグリコールエーテル類であり、溶剤の揮発性、溶剤の臭気性、溶剤の安全性に優れるＭＤＧ、又は、ジエチレングリコールモノエチルエーテル（以下、ＤＧと記載する）の少なくとも1種を併用することが好ましく、これらを主溶剤として用いることがよいことを見出した。主溶剤とは、少なくともインク中に５０重量％以上含有量があり、それが主となっている溶剤である。また、この組み合わせの主溶剤がインク中に６５重量％以上含有することがより好ましいことを見出した。すなわちＭＥＤＧとＭＤＧの組み合わせ、ＭＥＤＧとＤＧの組み合わせまたはＭＥＤＧとＭＤＧとＤＧの組み合わせ、を主溶剤とし、５０重量％以上さらに好ましくは６５重量％以上することが好ましいことを見出した。インクジェット記録用インク中のＭＥＤＧに対するＭＤＧ、ＤＧ、またはＭＤＧとＤＧの混合溶液の重量比率Ｒ１は、１．２≦Ｒ１≦４．０、の比率の範囲が好ましい。上記比率が１．２未満だと安全性を損なってしまう。４．０を超えてしまうと、後述する懸濁重合により製造された塩酢ビ樹脂の完全溶解工程で樹脂を十分に溶解することができず好ましくない。但しＭＥＤＧが４０重量％を超えると印字面の光沢性が低下するので好ましくない。」
１４ｄ「【００４３】
　例えば、粘度調整、表面張力調整、ノズルの乾燥性を調整する目的としてエチレングリコールモノブチルエーテルアセテート（以下、ＢＧＡｃと記載する）、γ−ブチロラクトン（以下、ＧＢＬと記載する）、ＭＯＺ、ＤＭＴｅＧを併用することができる。
・・・
【００４５】
　ＧＢＬは有機溶剤総量中の１５重量％以下で併用することが好ましく、１０重量％以下が特に好ましい。ＧＢＬは、揮発性に乏しく、ＰＶＣ表面、及び、内部に残留しやすい。よって、１５重量％以上を越えて併用すると印字物の表面を荒らし、光沢性を損なうため好ましくない。」
１４ｅ「【００４８】
　例えば、ピグメントイエロー１２、１３、１４、１７、２０、２４、７４、８３、８６、９３、９４、９５、１０９、１１０、１１７、１２０、１２５、１２８、１３７、１３８、１３９、１４７、１４８、１５０、１５１、１５４、１５５、１６６、１６８、１８０、１８５、ピグメントオレンジ１６、３６、３８、４３、５１、５５、５９、６１、６４、６５、７１、ピグメントレッド９、４８、４９、５２、５３、５７、９７、１２２、１４９、１６８、１７７、１７８、１７９、２０６、２０７、２０９、２４２、２５４、２５５、ピグメントバイオレット１９、２３、２９、３０、３７、４０、５０、ピグメントブルー１５、１５：１、１５：３、１５：４、１５：６、２２、３０、６４、８０、ピグメントグリーン７（塩素化フタロシアニングリーン）、３６（臭素化フタロシアニングリーン）、ピグメントブラウン２３、２５、２６、ピグメントブラック７（カーボンブラック）、２６、２７、２８等、があげられる。顔料の具体例としては、ＬＩＯＮＯＬ　ＢＬＵＥ　ＦＧ−７４００Ｇ（東洋インキ製造社製　フタロシアニン顔料）、ＹＥＬＬＯＷ　ＰＩＧＭＥＮＴ　Ｅ４ＧＮ（バイエル社製　ニッケル錯体アゾ顔料）、Ｃｒｏｍｏｐｈｔａｌ　Ｐｉｎｋ　ＰＴ（ＢＡＳＦ社製　キナクリドン顔料）、ＥＬＦＴＥＸ　４１５（キャボット社製　カーボンブラック）、Ｆａｓｔｏｇｅｎ　Ｓｕｐｅｒ　Ｍａｇｅｎｔａ　ＲＧ（ＤＩＣ社製　キナクリドン顔料）、ＹＥＬＬＯＷ　ＰＩＧＭＥＮＴ　Ｅ４ＧＮ（ランクセス社製　ニッケル錯体アゾ顔料）、モナーク１０００（キャボット社製　カーボンブラック）、イルガライトブルー８７００（ＢＡＳＦ社製　フタロシアニン顔料）、Ｅ４ＧＮ−ＧＴ（ランクセス社製　ニッケル錯体アゾ顔料）などが挙げられる。
【００４９】
　顔料の配合量は、使用する顔料の種類等により任意に決定できるが、通常はインク中における含有量は０．１〜１５重量％であり、好ましくは０．５〜１０重量％である。顔料の平均粒子径は、５０〜４００ｎｍが好ましく、より好ましくは８０〜３００ｎｍである。平均粒子径はレーザー回折式粒度分布測定器を用いて平均粒子経（ｄ５０）を測定したものである。」
１４ｆ「【実施例】
【００６７】
　以下、実施例をあげて本発明を具体的に説明するが、本発明は実施例に特に限定されるものではない。なお、実施例中、「部」は「重量部」を表す。
　インクジェット記録用インクは顔料、顔料分散剤、溶剤によって予め顔料分散体を作成し、インク用溶媒、有機溶剤及びその他添加剤を添加して作成する。
　インクジェット記録用インクは、合計が１００部になるように顔料、顔料分散剤、溶剤、バインダ樹脂等を調製する。
・・・
【００７２】
【表１】
・・・
【００８２】
　（実施例５）
　有機溶剤はＭＥＤＧを２９．７部、ＭＤＧを３８．７部、ＤＥＤＧを１４．０部、ＧＢＬを６．６部、顔料はフタロシアニン顔料を４．０部、顔料分散剤はアポリアルキレン系顔料分散剤を２．０部、バインダ樹脂は懸濁重合によって製造された塩酢ビ樹脂（日信化学工業社製ソルバインＣＬ　分子量２５０００）を５．０部使用したインクを作成した。
【００８３】
　有機溶剤中のＭＤＧ／ＭＥＤＧの比率は１．３、有機溶剤中のＧＢＬの含有量は７．４重量％である。
　懸濁重合で製造された塩酢ビ樹脂（日信化学工業社製ソルバインＣＬ　分子量２５０００）５．０部を、ＭＥＤＧ２９．７部、ＭＤＧ３８．７部、ＧＢＬ６．６部の混合溶剤にプレ溶解するプレ溶解工程を行った。
【００８４】
　その後、連続式超音波分散機ＵＬＴＲＡＳＯＮＩＣ　ＧＥＮＥＲＡＴＯＲ　ＧＳＤ１２００ＡＴ（株式会社ギンセン社製）を用い、先端径が５０ｍｍの超音波照射部の先端に照射部ホルダーを取り付け、完全溶解工程を行った。プレ溶解工程で得た樹脂溶液２Ｌ（リットル）を貯蔵タンクに入れ、流量１Ｌ/ｍｉｎにて超音波発生部と貯蔵タンクを２０分間循環させながら、超音波照射部にて周波数１９．５ｋＨｚ、振幅３０μｍの超音波を照射させインク用溶媒を作成した。インク用溶媒のゲル状の残渣物は５個未満であった。
　インクジェット記録用インクの製造工程は顔料分散溶剤をＤＥＤＧに変更し、それ以外は実施例１と同様に作成した。インクジェット記録用インクの組成は表１にまとめる。」
イ　甲号証に記載された発明
（ア）甲２に記載された発明
　甲２には、実施例１として「ジエチレングリコールジエチルエーテル４５．６質量部、テトラエチレングリコールジメチルエーテル２０．０質量部、γ−ブチロラクトン２５．０質量部、バインダー樹脂（アクリル系樹脂、ローム＆ハース社製「パラロイドＢ６０」）４．０質量部、Ｃ．Ｉ．ピグメント　イエロー　２１３（クラリアント社製「Ｈｏｓｔａｐｅｒｍ　Ｙｅｌｌｏｗ　Ｈ５Ｇ」）３．６質量部、分散剤（ルブリソール社製「ソルスパース３２０００」）１．８質量部を含み、顔料粒子の平均粒径は１５０ｎｍである、インクジェット記録用油性インク組成物」の発明（以下、「甲２発明」という。）が記載されている（摘記２ｂ参照）。
（イ）甲１４に記載された発明
　甲１４には、実施例５として「ＭＥＤＧ２９．７部、ＭＤＧ３８．７部、ＤＥＤＧ１４．０部、ＧＢＬ６．６部、フタロシアニン顔料４．０部、顔料分散剤としてアポリアルキレン系顔料分散剤２．０部、バインダ樹脂として懸濁重合によって製造された塩酢ビ樹脂（日信化学工業社製ソルバインＣＬ　分子量２５０００）５．０部を含む、インクジェット記録用インク」の発明（以下、「甲１４発明」という。）が記載されている（摘記１４ｆ参照）。
ウ　甲２発明を主たる引用発明とする場合
（ア）　本件特許発明１
ａ　甲２発明との対比
　本件特許発明１と甲２発明を対比する。
　甲２発明の「ジエチレングリコール」は、本件特許発明１の一般式（１）で表される化合物であって、本件特許明細書【００２７】からみて、ジエチレングリコールジエチルエーテルの引火点は７１℃であるから、本件特許発明１の「下記一般式（１）で表される化合物を少なくとも１種と、
・・・
　前記一般式（１）で表される化合物として、引火点が１４０℃以下の化合物
・・・
　前記引火点が１４０℃以下の化合物が、ジエチレングリコールメチルエチルエーテル、ジエチレングリコールジメチルエーテル、ジエチレングリコールジエチルエーテル、ジエチレングリコールブチルメチルエーテル及びトリエチレングリコールジメチルエーテルから選ばれる１種以上であり
・・・
Ｒ１Ｏ−（Ｒ２Ｏ）ｍ−Ｒ３　　・・・（１）
［一般式（１）中、Ｒ１及びＲ３は、それぞれ独立して、水素又は炭素数１以上４以下のアルキル基を表し、Ｒ２は、炭素数２又は３のアルキレン基を表し、ｍは、２又は３の整数を表す。］」に相当する。
　甲２発明の「γ−ブチロラクトン２５．０質量部」は、本件特許発明１の「環状エステル
・・・
　前記環状エステルがγ−ブチロラクトンであり、
　前記環状エステルの含有量がインクジェットインク組成物の全量に対して１０質量％以上３０質量％以下であり、」に相当する。
　甲２発明の「Ｃ．Ｉ．ピグメント　イエロー　２１３（クラリアント社製「Ｈｏｓｔａｐｅｒｍ　Ｙｅｌｌｏｗ　Ｈ５Ｇ」）」は、本件特許発明１の「顔料」に相当する。
　甲２発明のインクジェット記録用油性インク組成物は、水を含まないものであるから、水の含有量が５質量％以下であることは明らかである。
　甲２発明の顔料粒子の平均粒径は１５０ｎｍであって、平均粒径はマイクロトラックＵＰＡ１５０を使用して測定されるものであり（摘記２ｂ参照）、粒径分布の基準を体積平均粒径（摘記１３ａ参照）とすることも普通に行われるから、甲２発明の顔料粒子の平均粒径は体積平均粒径である。
　そうすると、本件特許発明１と甲２発明は「下記一般式（１）で表される化合物を少なくとも１種と、
　環状エステルと、
　体積平均粒子径が１００ｎｍ以上４００ｎｍ以下である顔料と、
を含み、
　前記一般式（１）で表される化合物として、引火点が１４０℃以下の化合物を含み、
　前記引火点が１４０℃以下の化合物が、ジエチレングリコールメチルエチルエーテル、ジエチレングリコールジメチルエーテル、ジエチレングリコールジエチルエーテル、ジエチレングリコールブチルメチルエーテル及びトリエチレングリコールジメチルエーテルから選ばれる１種以上であり、
　前記環状エステルがγ−ブチロラクトンであり、
　前記環状エステルの含有量がインクジェットインク組成物の全量に対して１０質量％以上３０質量％以下であり、
　水の含有量が５質量％以下である、インクジェットインク組成物。
Ｒ１Ｏ−（Ｒ２Ｏ）ｍ−Ｒ３　　・・・（１）
［一般式（１）中、Ｒ１及びＲ３は、それぞれ独立して、水素又は炭素数１以上４以下のアルキル基を表し、Ｒ２は、炭素数２又は３のアルキレン基を表し、ｍは、２又は３の整数を表す。］」である点で一致し、以下の点で相違する。
＜相違点７＞
　顔料が、本件特許発明１ではピグメントオレンジ−４３（ＰＯ−４３）であるのに対し、甲２発明ではＣ．Ｉ．ピグメント　イエロー　２１３（クラリアント社製「Ｈｏｓｔａｐｅｒｍ　Ｙｅｌｌｏｗ　Ｈ５Ｇ」）である点。
＜相違点８＞
　引火点が１４０℃以下の化合物の含有量が、本件特許発明１ではインクジェットインク組成物の全量に対して６０質量％以上８０質量％以下であるのに対し、甲２発明ではインクジェットインク組成物の全量に対して４５．６質量％である点。
ｂ．　相違点についての検討
　＜相違点７＞及び＜相違点８＞について検討する。
　甲５〜甲１０にはＰＯ−４３が記載されている（摘記５ｃ、６ａ、７ａ、８ａ、９ａ、１０ｂ参照）。
　しかし、上記＜相違点７＞及び＜相違点８＞に係る本件特許発明１の発明特定事項を同時に備えるものとすることについては、甲２及び甲５〜甲１１のいずれにも記載も示唆もないから、これを当業者が容易に想到し得ることであるとはいえない。
　また、本件特許発明１は、＜相違点７＞及び＜相違点８＞に係る本件特許発明１の発明特定事項を同時に備えるものとすることによって、耐候性、吐出安定性、光沢性、凝集ムラ、耐擦性及び発色性のいずれもが良好となっており、甲２発明及び甲２、甲５〜甲１１の記載からは予測し得ない、格別顕著な作用効果を奏するものであり（本件特許明細書の段落【００９１】）、そのような作用効果は、本件明細書に記載された実施例において確認されていると認められる。
ｃ．　まとめ
　以上のとおり、本件特許発明１は、甲２発明及び甲２、甲５〜１１の記載に基いて当業者が容易に発明をすることができたものであるとすることはできない。
イ　本件特許発明２〜８について
　本件特許発明２〜８は、「ＰＯ−４３」という点を発明特定事項に備えているところ、上記本件特許発明１と甲２発明との相違点７と実質的に同等の相違点を有するものであるから、本件特許発明２〜８についても、甲２発明及び甲２、甲５〜１１の記載に基いて当業者が容易に発明をすることができたものであるとすることはできない。
エ　甲１４発明を主たる引用発明とする場合
（ア）　本件特許発明１
ａ　甲１４発明との対比
　本件特許発明１と甲１４発明を対比する。
　甲１４発明の「ＭＥＤＧ・・・ＤＥＤＧ」は、ＭＥＤＧはジエチレングリコールエチルメチルエーテルであり（摘記１４ｂ参照）、ＤＥＤＧはジエチレングリコールヂエチルエーテルであり（摘記１４ｂ参照）、本件特許発明１の一般式（１）で表される化合物であって、本件特許明細書【００２７】からみて、ジエチレングリコールエチルメチルエーテル、ジエチレングリコールジエチルエーテルの引火点は、それぞれ、６４℃、７１℃であるから、本件特許発明１の「下記一般式（１）で表される化合物を少なくとも１種と、
・・・
　前記一般式（１）で表される化合物として、引火点が１４０℃以下の化合物
・・・
　前記引火点が１４０℃以下の化合物が、ジエチレングリコールメチルエチルエーテル、ジエチレングリコールジメチルエーテル、ジエチレングリコールジエチルエーテル、ジエチレングリコールブチルメチルエーテル及びトリエチレングリコールジメチルエーテルから選ばれる１種以上であり
・・・
Ｒ１Ｏ−（Ｒ２Ｏ）ｍ−Ｒ３　　・・・（１）
［一般式（１）中、Ｒ１及びＲ３は、それぞれ独立して、水素又は炭素数１以上４以下のアルキル基を表し、Ｒ２は、炭素数２又は３のアルキレン基を表し、ｍは、２又は３の整数を表す。］」に相当する。
　甲１４発明の「ＧＢＬ」は、ＧＢＬはγ−ブチロラクトンであるから（摘記１４ｄ参照）、本件特許発明１の「環状エステル
・・・
　前記環状エステルがγ−ブチロラクトンであり」に相当する。
　甲１４発明の「フタロシアニン顔料」は、本件特許発明１の「顔料」に相当する。
　甲１４発明のインクジェット記録用インクは、水を含まないものであるから、水の含有量が５質量％以下であることは明らかである。
　そうすると、本件特許発明１と甲１４発明は「下記一般式（１）で表される化合物を少なくとも１種と、
　環状エステルと、
顔料と、
を含み、
　前記一般式（１）で表される化合物として、引火点が１４０℃以下の化合物を含み、
　前記引火点が１４０℃以下の化合物が、ジエチレングリコールメチルエチルエーテル、ジエチレングリコールジメチルエーテル、ジエチレングリコールジエチルエーテル、ジエチレングリコールブチルメチルエーテル及びトリエチレングリコールジメチルエーテルから選ばれる１種以上であり、
　前記環状エステルがγ−ブチロラクトンであり、
　水の含有量が５質量％以下である、インクジェットインク組成物。
Ｒ１Ｏ−（Ｒ２Ｏ）ｍ−Ｒ３　　・・・（１）
［一般式（１）中、Ｒ１及びＲ３は、それぞれ独立して、水素又は炭素数１以上４以下のアルキル基を表し、Ｒ２は、炭素数２又は３のアルキレン基を表し、ｍは、２又は３の整数を表す。］」である点で一致し、以下の点で相違する。
＜相違点９＞
　顔料が、本件特許発明１では体積平均粒子径が１００ｎｍ以上４００ｎｍ以下であるピグメントオレンジ−４３（ＰＯ−４３）であるのに対し、甲１４発明では体積平均粒子径の特定がないフタロシアニン顔料である点。
＜相違点１０＞
　引火点が１４０℃以下の化合物の含有量が、本件特許発明１ではインクジェットインク組成物の全量に対して６０質量％以上８０質量％以下であるのに対し、甲１４発明ではインクジェットインク組成物の全量に対して４３．７質量％である点。
＜相違点１１＞
　環状エステルの含有量が、本件特許発明１ではインクジェットインク組成物の全量に対して１０質量％以上３０質量％以下であるのに対し、甲１４発明ではインクジェットインク組成物の全量に対して６．６質量％である点。
ｂ．　相違点についての検討
　＜相違点９＞、＜相違点１０＞及び＜相違点１１＞について検討する。
　甲１４には、インク組成物をオレンジのインクとする場合には、配合される顔料として、ピグメントオレンジ４３が例示されている（摘記１４ｅ参照）。
　また、甲５には、彩度の高いオレンジ顔料としてＰＯ−４３が用いられることが記載されてろおり（摘記５ｂ、５ｃ参照）、甲１４には、ＭＥＤＧとＤＧの組み合わせまたはＭＥＤＧとＭＤＧとＤＧの組み合わせ、を主溶剤とし、５０重量％以上さらに好ましくは６５重量％以上することが好ましいことが、記載されている（摘記１４ｃ参照）。
　しかしながら、上記＜相違点９＞、＜相違点１０＞及び＜相違点１１＞に係る本件特許発明１の発明特定事項を同時に備えるものとすることについては、甲１４及び甲５〜甲１１のいずれにも記載も示唆も無いから、これを当業者が容易に想到し得るものであるということはできない。
　また、本件特許発明１は、＜相違点９＞、＜相違点１０＞及び＜相違点１１＞に係る本件特許発明１の発明特定事項を同時に備えるものとすることによって、耐候性、吐出安定性、光沢性、凝集ムラ、耐擦性及び発色性のいずれもが良好となっており、甲１４発明及び甲１４、甲５〜甲１１の記載からは予測し得ない、格別顕著な作用効果を奏するものであり（本件特許明細書の段落【００９１】）、そのような作用効果は、本件明細書に記載された実施例において確認されていると認められる。
ｃ．　まとめ
　以上のとおり、本件特許発明１は、甲１４発明及び甲１４、甲５〜１１の記載に基いて当業者が容易に発明をすることができたものであるとすることはできない。
イ　本件特許発明２〜８について
　本件特許発明２〜８は、「体積平均粒子径が１００ｎｍ以上４００ｎｍ以下であるピグメントオレンジ−４３（ＰＯ−４３）」を含み、「一般式（１）で表される化合物として、引火点が１４０℃以下の化合物の含有量がインクジェットインク組成物の全量に対して６０質量％以上８０質量％以下であり、
　前記引火点が１４０℃以下の化合物が、ジエチレングリコールメチルエチルエーテル、ジエチレングリコールジメチルエーテル、ジエチレングリコールジエチルエーテル、ジエチレングリコールブチルメチルエーテル及びトリエチレングリコールジメチルエーテルから選ばれる１種以上であり」という点を発明特定事項に備えているところ、上記本件特許発明１と甲１４発明との相違点１０及び相違点１１と実質的に同等の相違点を有するものであるから、本件特許発明２〜８についても、甲１４発明、及び、甲１４、甲５〜甲１１の記載に基いて当業者が容易に発明をすることができたものであるとすることはできない。
（３）特許法第３６条第６項第１号
　異議申立人の主張は、要するに以下の主張ア、イであると解される。
主張ア　溶剤の含有量について本件特許発明１では、引火点が１４０℃以下の一般式（１）で表される化合物の合計含有量が、インクジェットインク組成物の全量に対して、６０質量％以上８０質量％以下であることが規定されているが、実施例はいずれも６０．０〜６９．０質量％の範囲となっているから、引火点が１４０℃以下の一般式（１）で表される化合物の合計含有量が６９質量％超８０質量％未満等について本願実施例と同様に耐候性の良好な画像を形成でき、かつ、インクジェット記録における安定性、画質及び画像の耐擦性が良好であるという効果を奏する（課題を解決することができる）か不明である。
主張イ　本件特許発明１の実施例は、いずれも、塩化ビニル系樹脂を含むものに限られているので、樹脂を含まない場合などに課題を解決することができるか不明である。
　しかしながら、特許異議申立人の主張は、いずれも、課題を解決することができるか不明であると述べるにとどまるものであり、なんら具体的な立証や証拠を示していない。
　また、６９質量％の実施例があれば、８０質量％において突如課題を解決することができなくなるということは想定しがたいし、インクジェットインク組成物の技術分野において樹脂を含まないといった極端な場合を想定すれば、課題を解決することができないなどという主張は採用できるものではない。
　さらに、特許異議申立人は塩化ビニル系樹脂の存在が特定されなければ課題が解決できないと主張するが、どのような定着樹脂が適切できるかは、印刷媒体との関係で定まるものであるから、必ずしも塩化ビニル系樹脂が適切であるとはいえないため、特許異議申立人の主張は採用できない。
（４）　特許法第３６条第４項第１号
　【表２】及び【表３】の実施例１〜８、１２〜１５、１８、２１の記載からみて、明らかに、本件の【請求項１】で特定されている発明を実施できる程度に明確かつ十分に記載されているといえる。
　本件特許発明１及びこれを引用する本件特許発明２〜８についても同様である。
第８　むすび
　以上のとおりであるから、令和３年２月１７日付けの取消理由通知に記載した取消理由及び特許異議申立書に記載した特許異議申立理由によっては、本件請求項１〜８に係る特許を取り消すことはできない。
　また、他に本件請求項１〜８に係る特許を取り消すべき理由を発見しない。
　よって、結論のとおり決定する。
【異議決定日】
令和３年７月１４日（２０２１．７．１４）
【訂正の要旨】
審決（決定）の【理由】欄参照。
（５７）【特許請求の範囲】
　【請求項１】
　下記一般式（１）で表される化合物を少なくとも１種と、
　環状エステルと、
　体積平均粒子径が１００ｎｍ以上４００ｎｍ以下であるピグメントオレンジ−４３（ＰＯ−４３）を含む顔料と、
を含み、
　前記一般式（１）で表される化合物として、引火点が１４０℃以下の化合物の含有量がインクジェットインク組成物の全量に対して
６０
　
前記引火点が１４０℃以下の化合物が、ジエチレングリコールメチルエチルエーテル、ジエチレングリコールジメチルエーテル、ジエチレングリコールジエチルエーテル、ジエチレングリコールブチルメチルエーテル及びトリエチレングリコールジメチルエーテルから選ばれる１種以上であり、
　前記環状エステルがγ−ブチロラクトンであり、
　前記環状エステルの含有量がインクジェットインク組成物の全量に対して１０質量％以上
３０
　水の含有量が５質量％以下である、インクジェットインク組成物。
Ｒ１Ｏ−（Ｒ２Ｏ）ｍ−Ｒ３　　・・・（１）
［一般式（１）中、Ｒ１及びＲ３は、それぞれ独立して、水素又は炭素数１以上４以下のアルキル基を表し、Ｒ２は、炭素数２又は３のアルキレン基を表し、ｍは、２又は３の整数を表す。］
　【請求項２】
　請求項１において、
　前記インクジェットインク組成物の全量に対して、１質量％以上６質量％以下の前記顔料を含む、インクジェットインク組成物。
　【請求項３】
　請求項１又は請求項２において、
　前記一般式（１）で表される化合物の合計の含有量が、前記インクジェットインク組成物の全量に対して、１０質量％以上９０質量％以下である、インクジェットインク組成物。
　【請求項４】
　請求項１ないし請求項３のいずれか一項において、
　前記一般式（１）で表される化合物として、引火点が１４０℃超の化合物を含有し、前記引火点が１４０℃超の化合物の含有量が、前記インクジェットインク組成物の全量に対して、６０質量％以下である、インクジェットインク組成物。
　【請求項５】
　請求項１ないし請求項４のいずれか一項において、
　前記環状エステルの含有量が、前記インクジェットインク組成物の全量に対して、１０質量％以上３０質量％以下である、インクジェットインク組成物。
　【請求項６】
　請求項１ないし請求項５のいずれか一項において、
　さらに、塩化ビニル系樹脂を含む、インクジェットインク組成物。
　【請求項７】
　塩化ビニル系記録媒体への記録に用いられる、請求項１ないし請求項６のいずれか一項に記載のインクジェットインク組成物。
　【請求項８】
　請求項１ないし請求項７のいずれか一項に記載のインクジェットインク組成物を用いて、塩化ビニル系記録媒体に対してインクジェット法により記録する、インクジェット記録方法。